(57)【要約】【課題】いわゆるダイレクト印刷システムにおける障害からのリカバリ処理を良好に実行すること。【解決手段】画像供給装置２は、画像出力装置１に通信路３を介して、一連の複数の画像を印刷する印刷処理を新たに開始させる印刷ジョブ開始コマンドおよび画像データを送信し、画像の印刷進捗状況を示す制御情報を受信する。そして、画像供給装置２は、画像出力装置１による印刷ジョブの中止または中断の後の画像出力装置１の復旧を検知すると、印刷ジョブ開始コマンドを画像出力装置１に送信するとともに、画像の印刷進捗状況を示す制御情報に基づいて特定される印刷再開位置を指定する開始情報を画像出力装置１へ送信する。【選択図】  図１
2004240944.tif 000002
【特許請求の範囲】
【請求項１】
所定のファイル形式で画像データを格納する記録媒体と、
１または複数の画像データに基づき一連の複数の画像を印刷する画像出力装置に通信路を介して接続され、上記一連の複数の画像を印刷する印刷処理を新たに開始させる印刷ジョブ開始コマンドおよび上記画像データを送信するとともに、上記画像の印刷進捗状況を示す制御情報を受信する通信回路と、
上記画像出力装置による印刷ジョブの中止または中断の後の上記画像出力装置の復旧を検知する復旧検知手段と、
上記復旧検知手段により上記画像出力装置の復旧が検知された後に、上記通信回路を制御して、上記印刷ジョブ開始コマンドを送信させるとともに、上記画像の印刷進捗状況に基づいて特定される印刷再開位置を指定する開始情報を上記画像出力装置へ送信させる通信制御部と、
を備えることを特徴とする画像供給装置。
【請求項２】
前記印刷ジョブ開始コマンドは、１または複数の印刷対象の画像の画像データの識別情報および印刷対象の画像の印刷部数情報を有し、
前記開始情報は、印刷開始時の上記画像データの識別情報および印刷開始時の部数番号を含むこと、
を特徴とする請求項１記載の画像供給装置。
【請求項３】
前記印刷ジョブ開始コマンドは、１または複数の印刷ジョブの情報を記述したジョブ指定ファイルを指定し、
前記開始情報は、上記ジョブ指定ファイルに記述された印刷ジョブにおける印刷再開位置を示すこと、
を特徴とする請求項１記載の画像供給装置。
【請求項４】
前記画像の印刷進捗状況を示す制御情報は、印刷を開始したあるいは完了した印刷ジョブの識別情報、印刷を開始したあるいは完了した画像の識別情報、並びに、印刷を開始した部数番号あるいは印刷を完了した画像の部数情報のいずれかを含むことを特徴とする請求項１から請求項３のうちのいずれか１項記載の画像供給装置。
【請求項５】
前記印刷対象の画像を印刷している前記画像出力装置による印刷ジョブの中止または中断を検知する障害検知手段と、
その印刷ジョブに対応する前記印刷ジョブ開始コマンドの内容の一部または全部を記憶する記憶手段とを備え、
前記通信制御部は、前記復旧検知手段により前記画像出力装置の復旧が検知された後に、上記記憶手段に記憶された情報に基づく前記印刷ジョブ開始コマンドを送信させること、
を特徴とする請求項１から請求項４のうちのいずれか１項記載の画像供給装置。
【請求項６】
複数の画像出力装置に有線通信路および／または無線通信路を介して接続可能な１または複数の前記通信回路と、
上記複数の画像出力装置のうち、いずれかの前記通信回路により通信可能な１つの画像出力装置を、前記印刷対象の画像を印刷させる前記画像出力装置として選択する選択手段と、
を備えることを特徴とする請求項１から請求項５のうちのいずれか１項記載の画像供給装置。
【請求項７】
前記印刷対象の画像を印刷している前記画像出力装置による印刷ジョブの中止または中断を検知する障害検知手段を備え、
前記選択手段は、上記障害検知手段により印刷ジョブの中止または中断が検知されると、いずれかの前記通信回路により通信可能な別の画像出力装置を、前記印刷対象の画像を印刷させる前記画像出力装置として選択すること、
を特徴とする請求項６記載の画像供給装置。
【請求項８】
前記選択手段は、まず有線通信路を介して接続される画像出力装置を選択し、上記障害検知手段により印刷ジョブの中止または中断が検知されると、いずれかの前記通信回路により無線通信路を介して通信可能な別の画像出力装置を選択することを特徴とする請求項７記載の画像供給装置。
【請求項９】
所定のファイル形式で画像データを格納する記録媒体と、
１または複数の画像データに基づき一連の複数の画像を印刷する画像出力装置に通信路を介して接続され、上記一連の複数の画像を印刷する印刷処理を新たに開始させる印刷ジョブ開始コマンド、上記印刷ジョブ開始コマンドにおいて指定された１または複数の印刷ジョブの情報を記述したジョブ指定ファイル、および上記画像データを送信するとともに、上記画像の印刷進捗状況を示す制御情報を受信する通信回路と、
上記画像出力装置による印刷ジョブの中止または中断の後の上記画像出力装置の復旧を検知する復旧検知手段と、
上記画像の印刷進捗状況を示す制御情報に基づいて上記印刷ジョブの中止または中断の時点で印刷が完了していない画像を特定する印刷未完画像特定手段と、
上記復旧検知手段により上記画像出力装置の復旧が検知された後に、上記ジョブ指定ファイルの内容を、上記印刷未完画像特定手段により特定された印刷未完画像のみに対する印刷ジョブの指定に書き換えるジョブ指定ファイル書換手段と、
上記ジョブ指定ファイル書換手段により上記ジョブ指定ファイルが書き換えられた後に、上記通信回路を制御して、上記印刷ジョブ開始コマンドを上記画像出力装置へ送信させる通信制御部と、
を備えることを特徴とする画像供給装置。
【請求項１０】
請求項１から請求項９のうちのいずれか１項記載の画像供給装置と、
前記画像を撮影し前記画像データを生成する撮像装置と、
を備えることを特徴とするデジタルカメラ。
【請求項１１】
所定のファイル形式で画像データを格納する記録媒体と、上記画像データに基づき一連の複数の画像を印刷する画像出力装置に通信路を介して接続される通信回路とを有する画像供給装置を内蔵コンピュータで制御するための制御プログラムであって、
上記内蔵コンピュータを、
上記画像出力装置による印刷ジョブの中止または中断の後の上記画像出力装置の復旧を検知する復旧検知手段、並びに、
上記復旧検知手段により上記画像出力装置の復旧が検知された後に、上記通信回路を制御して、一連の複数の画像を印刷する印刷処理を新たに開始させる印刷ジョブ開始コマンドを送信させるとともに、上記画像の印刷進捗状況に基づいて特定される印刷再開位置を指定する開始情報を上記画像出力装置へ送信させる通信制御部、
として機能させることを特徴とする制御プログラム。
【請求項１２】
１または複数の画像データに基づき一連の複数の画像を印刷する画像出力装置に通信路を介して、上記一連の複数の画像を印刷する印刷処理を新たに開始させる印刷ジョブ開始コマンドおよび上記画像データを送信するステップと、
上記画像の印刷進捗状況を示す制御情報を受信するステップと、
上記画像出力装置による印刷ジョブの中止または中断の後の上記画像出力装置の復旧を検知するステップと、
上記画像出力装置の復旧を検知した後に、上記印刷ジョブ開始コマンドを上記画像出力装置に送信するとともに、上記画像の印刷進捗状況に基づいて特定される印刷再開位置を指定する開始情報を上記画像出力装置へ送信するステップと、
を備えることを特徴とする印刷再開制御方法。
【発明の詳細な説明】
【０００１】
【発明の属する技術分野】
本発明は、通信路を介して印刷のための制御情報および画像データを画像出力装置に伝送してその画像データに基づく画像を出力させるための画像供給装置、デジタルカメラ、制御プログラムおよび印刷再開制御方法に関するものである。
【０００２】
【従来の技術】
従来、プリンタは、パーソナルコンピュータなどのホスト装置に接続され、ホスト装置によりテキストデータ、画像データなどの印刷対象から生成された印刷制御コマンドを受信し、その印刷制御コマンドに基づいて印刷処理を行っている。
【０００３】
また、プリンタなどといった画像出力装置には、印刷処理に障害が発生すると、その直前の動作状況や装置の状態を、画像出力装置に接続されるホスト装置に通知するものがある（例えば特許文献１参照）。これにより、ホスト装置が、障害を検知し、適切な処置を行うことができる。
【０００４】
一方、近年では、デジタルスチルカメラとプリンタとを、パーソナルコンピュータなどのホスト装置を介さずに接続し、デジタルスチルカメラにより撮影した画像をプリンタにより印刷する、いわゆるダイレクト印刷システムが存在する。
【０００５】
このようなダイレクト印刷システムでは、プリンタが、デジタルスチルカメラに格納された画像データを読み出し、その画像データから印刷制御コマンド（または印刷機構を制御するための印刷制御データ）を生成し、その印刷制御コマンド（または印刷制御データ）に基づいて、その画像データによる画像を印刷する。
【０００６】
【特許文献１】
特開２０００−１６８２００号公報（要約書）
【０００７】
【発明が解決しようとする課題】
ホスト装置から印刷制御コマンドが画像出力装置へ送信される従来の画像出力システムの場合と異なり、ダイレクト印刷システムでは、画像データそのものが画像出力装置へ送信され、画像出力装置において画像データから印刷制御コマンドなどが生成されるため、ダイレクト印刷システムにおける画像出力装置において障害が発生した場合、従来の画像出力システムと同様の方法でリカバリ処理を行うことが困難であるという問題がある。
【０００８】
本発明は、上記の問題に鑑みてなされたものであり、画像データそのものを画像出力装置へ送信し画像出力装置において画像データから印刷制御データを生成し画像を印刷する印刷処理における障害からのリカバリ処理を良好に実行することができる画像供給装置、デジタルカメラ、制御プログラムおよび印刷再開制御方法を得ることを目的とする。
【０００９】
【課題を解決するための手段】
上記の課題を解決するために、本発明の画像供給装置は、所定のファイル形式で画像データを格納する記録媒体と、１または複数の画像データに基づき一連の複数の画像を印刷する画像出力装置に通信路を介して接続され、一連の複数の画像を印刷する印刷処理を新たに開始させる印刷ジョブ開始コマンドおよび画像データを送信するとともに、画像の印刷進捗状況を示す制御情報を受信する通信回路と、画像出力装置による印刷ジョブの中止または中断の後の画像出力装置の復旧を検知する復旧検知手段と、復旧検知手段により画像出力装置の復旧が検知された後に、通信回路を制御して、印刷ジョブ開始コマンドを送信させるとともに、画像の印刷進捗状況を示す制御情報に基づいて特定される印刷再開位置を指定する開始情報を画像出力装置へ送信させる通信制御部とを備える。
【００１０】
この画像供給装置を利用すると、復旧時に印刷処理の再開位置を画像出力装置に対して正確に指定でき、画像データそのものを画像出力装置へ送信し画像出力装置において画像データから印刷制御データを生成し画像を印刷する印刷処理における障害からのリカバリ処理を良好に実行することができる。
【００１１】
さらに、本発明の画像供給装置は、上記発明の画像供給装置に加え、印刷ジョブ開始コマンドが１または複数の印刷対象の画像の画像データの識別情報および印刷対象の画像の印刷部数情報を有し、開始情報が印刷開始時の画像データの識別情報および印刷開始時の部数番号を含むようにしたものである。
【００１２】
この画像供給装置を利用すると、復旧時に印刷処理の再開位置を印刷画像単位で正確に指定できる。
【００１３】
さらに、本発明の画像供給装置は、上記発明の画像供給装置のいずれかに加え、印刷ジョブ開始コマンドが、１または複数の印刷ジョブの情報を記述したジョブ指定ファイルを指定し、開始情報が、ジョブ指定ファイルに記述された印刷ジョブにおける印刷再開位置を示すようにしたものである。
【００１４】
この画像供給装置を利用すると、印刷ジョブの指定にジョブ指定ファイルを使用している場合でも復旧時に印刷処理の再開位置を正確に指定できる。
【００１５】
さらに、本発明の画像供給装置は、上記発明の画像供給装置のいずれかに加え、画像の印刷進捗状況を示す制御情報が、印刷を開始したあるいは完了した印刷ジョブの識別情報、印刷を開始したあるいは完了した画像の識別情報、並びに印刷を開始した部数番号あるいは印刷を完了した画像の部数情報のいずれかを含むようにしたものである。
【００１６】
この画像供給装置を利用すると、一連の複数の印刷ジョブが設定されていても、印刷処理の再開位置を画像単位で正確に指定できる。
【００１７】
さらに、本発明の画像供給装置は、上記発明の画像供給装置のいずれかに加え、印刷対象の画像を印刷している画像出力装置による印刷ジョブの中止または中断を検知する障害検知手段と、その印刷ジョブに対応する印刷ジョブ開始コマンドの内容の一部または全部を記憶する記憶手段とを備える。そして、通信制御部が、復旧検知手段により画像出力装置の復旧が検知された後に、記憶手段に記憶された情報に基づく印刷ジョブ開始コマンドを送信させる。
【００１８】
この画像供給装置を利用すると、印刷ジョブ開始コマンドの内容を再利用できるため、印刷ジョブ内容の再度の設定を省略でき、印刷処理の再開位置を簡単に指定できる。
【００１９】
さらに、本発明の画像供給装置は、上記発明の画像供給装置のいずれかに加え、複数の画像出力装置に有線通信路および／または無線通信路を介して接続可能な１または複数の通信回路と、複数の画像出力装置のうち、いずれかの通信回路により通信可能な１つの画像出力装置を、印刷対象の画像を印刷させる画像出力装置として選択する選択手段とを備える。
【００２０】
この画像供給装置を利用すると、必要に応じて所望の画像出力装置を印刷処理に使用でき、かつどの画像出力装置での印刷処理における障害からのリカバリ処理も良好に実行することができる。
【００２１】
さらに、本発明の画像供給装置は、上記発明の画像供給装置に加え、印刷対象の画像を印刷している画像出力装置による印刷ジョブの中止または中断を検知する障害検知手段を備える。そして、選択手段が、障害検知手段により印刷ジョブの中止または中断が検知されると、いずれかの通信回路により通信可能な別の画像出力装置を、印刷対象の画像を印刷させる画像出力装置として選択する。
【００２２】
この画像供給装置を利用すると、障害時に別の画像出力装置を使用することで、印刷処理における障害からのリカバリ処理を良好に実行することができる。
【００２３】
さらに、本発明の画像供給装置は、上記発明の画像供給装置に加え、選択手段が、まず有線通信路を介して接続される画像出力装置を選択し、障害検知手段により印刷ジョブの中止または中断が検知されると、いずれかの通信回路により無線通信路を介して通信可能な別の画像出力装置を選択するようにしたものである。
【００２４】
この画像供給装置を利用すると、正常時には有線接続された画像出力装置が使用され、障害発生時にはその有線通信路のケーブルを挿抜することなく無線接続された画像出力装置が使用されるため、印刷処理における障害からのリカバリ処理を短時間で良好に実行することができる。
【００２５】
本発明の画像供給装置は、所定のファイル形式で画像データを格納する記録媒体と、１または複数の画像データに基づき一連の複数の画像を印刷する画像出力装置に通信路を介して接続され、一連の複数の画像を印刷する印刷処理を新たに開始させる印刷ジョブ開始コマンド、印刷ジョブ開始コマンドにおいて指定された１または複数の印刷ジョブの情報を記述したジョブ指定ファイル、および記画像データを送信するとともに、画像の印刷進捗状況を示す制御情報を受信する通信回路と、画像出力装置による印刷ジョブの中止または中断の後の画像出力装置の復旧を検知する復旧検知手段と、画像の印刷進捗状況を示す制御情報に基づいて印刷ジョブの中止または中断の時点で印刷が完了していない画像を特定する印刷未完画像特定手段と、復旧検知手段により画像出力装置の復旧が検知された後に、ジョブ指定ファイルの内容を、印刷未完画像特定手段により特定された印刷未完画像のみに対する印刷ジョブの指定に書き換えるジョブ指定ファイル書換手段と、ジョブ指定ファイル書換手段によりジョブ指定ファイルが書き換えられた後に、通信回路を制御して、印刷ジョブ開始コマンドを画像出力装置へ送信させる通信制御部とを備える。
【００２６】
この画像供給装置を利用すると、印刷処理の再開位置に基づいてジョブ指定ファイルが書き換えられるため、画像データそのものを画像出力装置へ送信し画像出力装置において画像データから印刷制御データを生成し画像を印刷する印刷処理における障害からのリカバリ処理を良好に実行することができる。
【００２７】
本発明のデジタルカメラは、上記発明の画像供給装置のいずれかと、印刷対象とされる画像を撮像し画像データを生成する撮像装置とを備える。
【００２８】
このデジタルカメラを利用すると、ダイレクト印刷システムにおいてプリンタによる印刷処理における障害からのリカバリ処理を良好に実行することができる。
【００２９】
本発明の制御プログラムは、記録媒体に記録され、あるいは伝送媒体により伝送され、所定のファイル形式で画像データを格納する記録媒体と、画像データに基づき一連の複数の画像を印刷する画像出力装置に通信路を介して接続される通信回路とを有する画像供給装置を内蔵コンピュータで制御するための制御プログラムであって、その内蔵コンピュータを、次のように動作させるものである。本発明の制御プログラムは、内蔵コンピュータを、画像出力装置による印刷ジョブの中止または中断の後の画像出力装置の復旧を検知する復旧検知手段、並びに、復旧検知手段により画像出力装置の復旧が検知された後に、通信回路を制御して、一連の複数の画像を印刷する印刷処理を新たに開始させる印刷ジョブ開始コマンドを送信させるとともに、画像出力装置から受信される画像の印刷進捗状況を示す制御情報に基づいて特定される印刷再開位置を指定する開始情報を画像出力装置へ送信させる通信制御部として機能させる。
【００３０】
この制御プログラムを利用すると、復旧時に印刷処理の再開位置を画像出力装置に対して正確に指定でき、画像データそのものを画像出力装置へ送信し画像出力装置において画像データから印刷制御データを生成し画像を印刷する印刷処理における障害からのリカバリ処理を良好に実行することができる。
【００３１】
本発明の印刷再開制御方法は、１または複数の画像データに基づき一連の複数の画像を印刷する画像出力装置に通信路を介して、一連の複数の画像を印刷する印刷処理を新たに開始させる印刷ジョブ開始コマンドおよび画像データを送信するステップと、画像の印刷進捗状況を示す制御情報を受信するステップと、画像出力装置による印刷ジョブの中止または中断の後の画像出力装置の復旧を検知するステップと、画像出力装置の復旧を検知した後に、印刷ジョブ開始コマンドを画像出力装置に送信するとともに、受信した画像の印刷進捗状況に基づいて特定される印刷再開位置を指定する開始情報を画像出力装置へ送信するステップとを備える。
【００３２】
この印刷再開制御方法を利用すると、復旧時に印刷処理の再開位置を画像出力装置に対して正確に指定でき、画像データそのものを画像出力装置へ送信し画像出力装置において画像データから印刷制御データを生成し画像を印刷する印刷処理における障害からのリカバリ処理を良好に実行することができる。
【００３３】
【発明の実施の形態】
以下、図に基づいて本発明の実施の形態を説明する。
【００３４】
画像出力システムの参考構成例１．
図１は、画像出力システムの参考構成例１を示すブロック図である。この画像出力システムは、いわゆるダイレクト印刷システムの一種とすることができる。図１において、画像出力装置１は、画像データに基づき画像を出力する装置である。画像出力装置１の形態としては、画像データに基づき画像を紙などに印刷するプリンタなどがある。また、画像供給装置２は、画像データを格納し、必要に応じてその画像データを送信可能な装置である。画像供給装置２の形態としては、撮影した画像を画像データとして所定の記録媒体に記憶するデジタルカメラなどがある。
【００３５】
通信路３は、画像出力装置１と画像供給装置２とを接続する伝送媒体である。この通信路３は、有線の通信路に限定されず、無線の通信路を使用してもよい。この参考構成例１では、通信路３には、ＵＳＢ（Ｕｎｉｖｅｒｓａｌ  Ｓｅｒｉａｌ  Ｂｕｓ）のケーブルが使用される。なお、通信路３が有線通信路である場合には、画像出力装置１と画像供給装置２には図示せぬコネクタが設けられ、通信路３のケーブルの両端のコネクタと両装置１，２のコネクタとが、それぞれ接続される。
【００３６】
図１に示す画像出力装置１において、通信回路１１は、通信路３を介して各種情報を電気信号として送受する回路である。また、通信制御部１２は、通信回路１１を制御し、各種プロトコルに従って通信相手と情報を送受する回路または装置である。なお、この通信回路１１および通信制御部１２は、画像出力（印刷）に係る制御情報をマークアップ言語で記述した一連のスクリプトとして通信路３を介して送受する第１の通信手段として機能する。
【００３７】
また、出力制御部１３は、出力機構１４を制御および監視し、画像出力処理（画像出力装置１がプリンタなどの印刷装置である場合には印刷処理）を制御する回路または装置である。この参考構成例１では、この出力制御部１３が、画像出力の処理フローを制御する画像出力制御手段として機能する。出力機構１４は、画像を出力する機械的および／または電気的な構成部である。
【００３８】
例えば、プリンタなどの場合の出力機構１４、すなわち印刷手段としては、印字機構、紙送り機構などが該当する。また、出力制御部１３は、印刷手段としての出力機構１４を制御する印刷制御手段として機能する。
【００３９】
また、操作部１５は、ユーザにより操作され、その操作に応じた信号を出力する回路または装置である。この操作部１５としては、各種スイッチ、タッチパネルなどが、適宜使用される。表示装置１６は、各種情報を表示する装置である。この表示装置１６としては、各種インジケータ、液晶ディスプレイなどが、適宜使用される。
【００４０】
電源回路１７は、例えば商用電源やＡＣ／ＤＣ変換器に接続され、供給された電力を所定の電圧で内部の回路に供給する回路である。
【００４１】
図１に示す画像供給装置２において、通信回路２１は、通信路３を介して各種情報を電気信号として送受する回路である。また、通信制御部２２は、通信回路２１を制御し、各種プロトコルに従って通信相手と情報を送受する回路または装置である。なお、この通信回路２１および通信制御部２２は、画像出力に係る制御情報をマークアップ言語で記述した一連のスクリプトとして通信路３を介して送受する第２の通信手段として機能する。
【００４２】
また、中央制御部２３は、通信制御部２２、記録媒体２４などの各種機能の有する回路または装置との間で各種情報の授受を行いながら、各種処理を実行する回路または装置である。
【００４３】
記録媒体２４は、画像データを含む１または複数の画像データファイル３１を格納する装置である。画像データファイル３１は、例えばデジタルカメラにより撮影された画像、その他の画像の画像データを含むファイルである。この画像データの形式は、例えばＪＰＥＧ（Ｊｏｉｎｔ  Ｐｈｏｔｏｇｒａｐｈｉｃ  Ｅｘｐｅｒｔｓ  Ｇｒｏｕｐ）形式、ＥＸＩＦ（ＥＸｃｈａｎｇｅａｂｌｅ  Ｉｍａｇｅ  Ｆｉｌｅ  Ｆｏｒｍａｔ）形式などとされる。
【００４４】
なお、記録媒体２４としては、半導体メモリ、半導体メモリを使用したメモリカード、磁気記録媒体、光記録媒体、光磁気記録媒体などが使用され、画像供給装置２の内部に固定されていてもよいし、画像供給装置２に対して着脱可能でもよい。
【００４５】
操作部２５は、ユーザにより操作され、その操作に応じた信号を出力する回路または装置である。この操作部１５としては、各種スイッチ、タッチパネルなどが、適宜使用される。表示装置２６は、画像データに基づく画像などの各種情報を表示する装置である。この表示装置２６としては、各種インジケータ、液晶ディスプレイなどが、適宜使用される。
【００４６】
バッテリ２７は、画像供給装置２の内部回路に電力を供給する電池である。なお、バッテリ２７としては、蓄電池、使い捨て電池などが使用される。また、画像供給装置２が可搬性を要求される装置である場合には、電源としてバッテリ２７が設けられるが、画像供給装置２が可搬性を要求されない装置である場合には、電源として画像出力装置１の電源回路１７のような電源回路を代わりに設けるようにしてもよい。
【００４７】
図２は、画像出力システムの参考構成例１において、画像出力装置１と画像供給装置２との間で使用されるプロトコルの一例を示す図である。
【００４８】
この参考構成例１では、まず、物理層として、上述のとおり、ＵＳＢケーブルである通信路３が使用される。そして、この参考構成例１における画像出力装置１および画像供給装置２では、その物理層を制御する層として、ＵＳＢ層があり、ＵＳＢクラスとしてスチルイメージクラス（ＳＩＣ）が使用される。これにより、データ伝送路が実現される。なお、ＵＳＢ規格については、現在ＵＳＢ１．１、ＵＳＢ２．０など存在するが、将来提案される次バージョン以降のものでもよく、ＵＳＢと同等の通信規格のものを代わりに使用してもよい。なお、通信路３にＵＳＢを使用する場合、画像出力装置１がホストとなり、画像供給装置２がデバイスとなる。
【００４９】
そして、その上位において、デジタル静止画装置（ＤＳＰＤ）の外部からの制御やデジタル静止画装置（ＤＳＰＤ）の外部への画像データ転送を規定した画像転送プロトコル（ＰＴＰ）が使用される。なお、ＰＴＰの標準規格としては、ＰＨＯＴＯＧＲＡＰＨＩＣ  ＡＮＤ  ＩＭＡＧＩＮＧ  ＭＡＮＵＦＡＣＴＵＲＥＲＳ  ＡＳＳＯＣＩＡＴＩＯＮ，ＩＮＣの「ＰＩＭＡ１５７４０：２０００」がある。なお、ＰＴＰは、ＤＳＰＤ間での画像データの交換のための通信方式を提供するプロトコルであり、ＰＴＰでは、ストレージ内のオブジェクト（画像データファイルなど）は、パスではなく、オブジェクトＩＤ（オブジェクトハンドル）で指定される。
【００５０】
この参考構成例１では、上述のＰＴＰの上位で、デジタルカメラなどの画像供給装置２に格納された画像データを、通信路３を介して直接、プリンタなどの画像出力装置１へ供給し、印刷を行うためのプロトコルであるダイレクト印刷サービス（以下、ＤＰＳという）プロトコルが使用される。ＤＰＳプロトコルでは、画像出力装置１と画像供給装置２との間で、画像出力に係る制御情報が、マークアップ言語（ここでは、ＸＭＬ；ｅＸｔｅｎｓｉｂｌｅ  Ｍａｒｋｕｐ  Ｌａｎｇｕａｇｅ）で記述した一連のスクリプトとして通信路３を介して送受される。なお、画像出力に係る制御情報としては、画像出力処理における各種コマンド、そのコマンドに対する応答、装置の状態の通知などがある。また、このスクリプトには、制御情報のみが含まれ、画像出力の対象となる画像データ自体は含まれない。すなわち、画像データファイルの格納場所などの情報はこのスクリプトに含まれるが、画像データそのものは含まれない。
【００５１】
なお、ＤＰＳプロトコルの下位層はＰＴＰに限定されない。そのため、ＤＰＳプロトコルと複数種類の下位層との整合性を得るために、ＤＰＳプロトコルと下位層（ここではＰＴＰ）との間にはラッパー層が設けられている。
【００５２】
この参考構成例１では、上述の各プロトコルのうち、物理層が、通信回路１１、通信路３および通信回路２１により実現され、ＵＳＢ層が、通信回路１１および通信回路２１により実現され、ＰＴＰ層、ラッパー層およびＤＰＳプロトコル層が、通信制御部１２および通信制御部２２により実現される。
【００５３】
すなわち、通信制御部１２，２２が、それぞれ、マークアップ言語で記述した画像出力に係る制御情報を送受する画像出力制御プロトコルであるＤＰＳプロトコルを解釈する第１のエンティティ、第１のエンティティの下位層で、画像供給装置２に格納された画像データを管理し画像出力装置１へ転送する画像データ管理転送プロトコルであるＰＴＰを解釈する第２のエンティティ、および第２のエンティティの下位層で、通信路３の物理層を制御する第３のエンティティとして機能する。
【００５４】
また、各通信制御部１２，２２のラッパー層の部分が、第２のエンティティの画像データ管理転送プロトコルの種類に応じた、第１のエンティティの画像出力制御プロトコルと画像データ管理転送プロトコルとの間でのプロトコル変換を行うプロトコル変換手段として機能する。すなわち、必要に応じて、各通信制御部１２，２２のラッパー層が、上位プロトコル（ＤＰＳプロトコル）のコマンドを下位プロトコル（ＰＴＰ）のコマンドに置き換える。
【００５５】
図３は、画像出力システムの参考構成例１における画像出力装置としてのプリンタの構成例を示すブロック図である。図３において、ＣＰＵ４１は、プログラムを実行し、プログラムに記述された処理を実行する装置である。また、ＲＯＭ４２は、プログラムおよびデータを予め記憶したメモリである。また、ＲＡＭ４３は、プログラムを実行する際にそのプログラムおよびデータを一時的に記憶するメモリである。
【００５６】
なお、ＣＰＵ４１が実行するプログラムとしては、画像データから印刷制御データを生成するためのプログラム、その印刷制御データに基づいて出力機構１４などを制御する制御プログラム、並びにＤＰＳプロトコルおよび画像転送プロトコルに従って通信を行うための制御プログラムがＲＯＭ４２または図示せぬ他の記録媒体に格納されている。
【００５７】
プリントエンジン４４は、ＣＰＵ４１から供給される印刷制御データに基づいて出力機構１４を制御して印刷処理を実行する回路または装置である。
【００５８】
ＵＳＢホスト側インタフェース４５は、図１の通信回路１１に該当し、ＵＳＢに規定されたホスト側のインタフェース回路である。
【００５９】
バス４６は、ＣＰＵ４１、ＲＯＭ４２、ＲＡＭ４３、プリントエンジン４４、ＵＳＢホスト側インタフェース４５、操作部１５および表示装置１６を相互に接続する信号路である。なお、バス４６の本数、およびＣＰＵ４１、プリントエンジン４４などのバス４６への接続のトポロジは、図３のものに限定されるものではない。
【００６０】
なお、図３における操作部１５および表示装置１６は、図１のものと同様である。
【００６１】
図４は、画像出力システムの参考構成例１における画像出力装置１の有する複数の機能の関係を示す図である。図４において、通信制御機能５１は、画像転送プロトコル以下の通信制御を行う機能である。
【００６２】
また、ＤＰＳプロトコル処理機能５２は、ＤＰＳプロトコルに規定された制御情報を生成または解釈するＤＰＳコマンド処理機能６１、制御情報に対応するＸＭＬスクリプトを生成するＸＭＬスクリプト生成機能６２、およびＸＭＬで記述された制御情報を構文解析するＸＭＬパーサ６３を含む。
【００６３】
なお、このＸＭＬパーサ６３は、ＸＭＬのすべての構文を解析可能に設計されていてもよいし、ＤＰＳプロトコルで使用される構文のみを解析可能としてもよい。その場合には、ＸＭＬパーサ６３は、ＤＰＳプロトコルに係るＸＭＬスクリプトの記述に必要なタグのみを判別できればよい。
【００６４】
また、このＸＭＬスクリプト生成機能６２は、ＸＭＬスクリプトのテンプレートをコマンドなどの制御情報の種類ごとにＲＯＭ４２などに予め格納し、そのテンプレートを編集して、制御情報を示すＸＭＬスクリプトを生成するようにしてもよい。
【００６５】
また、画像処理機能５３は、画像データのフォーマットを変更する機能であり、印刷データ生成機能５４は、フォーマット変更後の画像データから印刷制御データを生成する機能であり、印刷制御機能５５は、印刷制御データに従って印刷処理を実行させる機能である。
【００６６】
また、状態管理機能５６は、上述の各機能による処理の状態を監視する機能である。
【００６７】
なお、これらの機能は、上述のプログラムをＣＰＵ４１により実行することで実現される。また、通信制御機能５１およびＤＰＳプロトコル処理機能５２により通信制御部１２が実現され、画像処理機能５３、印刷データ生成機能５４、印刷制御機能５５および状態管理機能５６により出力制御部１３が実現される。
【００６８】
図５は、画像出力システムの参考構成例１における画像供給装置２としてのデジタルカメラの構成例を示すブロック図である。図５において、ＣＰＵ７１は、プログラムを実行し、プログラムに記述された処理を実行する装置である。また、ＲＯＭ７２は、プログラムおよびデータを予め記憶したメモリである。また、ＲＡＭ７３は、プログラムを実行する際にそのプログラムおよびデータを一時的に記憶するメモリである。
【００６９】
なお、ＣＰＵ７１が実行するプログラムとしては、撮影時の各部の制御を行うためのプログラム、並びにＤＰＳプロトコルおよび画像転送プロトコルに従って通信および画像データの管理を行うための制御プログラムがＲＯＭ７２または図示せぬ他の記録媒体に格納されている。
【００７０】
撮影装置７４は、ＣＰＵ７１からの指令に応じて、被写体の撮影を行い、撮影後の画像データを、メモリカード７５に格納する装置である。
【００７１】
メモリカード７５は、図１の記録媒体２４に該当し、撮影により得られた画像データなどを格納する記録媒体である。なお、メモリカード７５の代わりに、装置内に固定された半導体メモリ、磁気記録装置などを使用するようにしてもよい。
【００７２】
ＵＳＢデバイス側インタフェース７６は、図１の通信回路２１に該当し、ＵＳＢに規定されたデバイス側のインタフェース回路である。
【００７３】
バス７７は、ＣＰＵ７１、ＲＯＭ７２、ＲＡＭ７３、撮影装置７４、メモリカード７５、ＵＳＢデバイス側インタフェース７６、操作部２５、および表示装置２６を相互に接続する信号路である。なお、バス７７の本数、およびＣＰＵ７１などのバス７７への接続のトポロジは、図５のものに限定されるものではない。
【００７４】
なお、図５における操作部２５および表示装置２６は、図１のものと同様である。
【００７５】
図６は、画像出力システムの参考構成例１における画像供給装置２の有する複数の機能の関係を示す図である。図６において、通信制御機能８１は、画像転送プロトコル以下の通信制御を行う機能である。また、ＤＰＳプロトコル処理機能８２は、ＤＰＳプロトコルに規定された制御情報を生成または解釈するＤＰＳコマンド処理機能９１、制御情報に対応するＸＭＬスクリプトを生成するＸＭＬスクリプト生成機能９２、およびＸＭＬで記述された制御情報を構文解析するＸＭＬパーサ９３を含む。
【００７６】
なお、このＸＭＬパーサ９３は、ＸＭＬのすべての構文を解析可能に設計されていてもよいし、ＤＰＳプロトコルで使用される構文のみを解析可能としてもよい。その場合には、ＸＭＬパーサ９３は、ＤＰＳプロトコルに係るＸＭＬスクリプトの記述に必要なタグのみを判別できればよい。
【００７７】
また、このＸＭＬスクリプト生成機能９２は、ＸＭＬスクリプトのテンプレートをコマンドなどの制御情報の種類ごとにＲＯＭ７２などに予め格納し、そのテンプレートを編集して、制御情報を示すＸＭＬスクリプトを生成するようにしてもよい。
【００７８】
また、ファイルシステム管理機能８３は、記録媒体２４としてのメモリカード７５に、所定のディレクトリ構造およびファイル構造に従って、画像データを画像データファイル３１として保持する機能である。
【００７９】
また、ユーザインタフェース機能８４は、ユーザによる操作部２５への操作の受け付け、および表示装置２６での各種情報の表示を行う機能である。
【００８０】
また、設定管理機能８５は、ユーザによる操作に応じて、印刷処理などの条件を設定する機能である。状態管理機能８６は、上述の各機能による処理の状態を監視する機能である。
【００８１】
なお、これらの機能は、上述のプログラムをＣＰＵ７１により実行することで実現される。また、ファイルシステム管理機能８３、ユーザインタフェース機能８４、設定管理機能８５および状態管理機能８６により中央制御部２３が実現され、通信制御機能８１およびＤＰＳプロトコル処理機能８２により通信制御部２２が実現される。
【００８２】
次に、上記システムにおける各装置の動作について説明する。図７は、画像出力システムの参考構成例１における、ＤＰＳプロトコルレベルでの画像出力処理を説明する図である。図８は、画像出力システムの参考構成例１における、画像転送プロトコルレベルでの画像出力処理を説明する図である。
【００８３】
まず、例えば操作部２５に対して所定の操作があると、画像供給装置２が、通信路３を介して画像出力装置１へ、印刷ジョブ開始コマンドを送信する（ステップＳ１）。
【００８４】
その際、画像供給装置２では、通信制御部２２が、ＤＰＳプロトコルに従って、印刷ジョブ開始コマンドＤＰＳ＿ＳｔａｒｔＪｏｂのＸＭＬスクリプトを生成し、送信する。ここでは、このＸＭＬスクリプト内で、画像出力の対象となる画像データが指定される。
【００８５】
なお、印刷ジョブ開始コマンドＤＰＳ＿ＳｔａｒｔＪｏｂには、次のジョブ条件設定情報および画像出力情報が含まれる。
【００８６】
ジョブ条件設定情報としては、このジョブでの画像出力の品質を設定するクオリティ情報、印刷ジョブにおける用紙タイプ情報、印刷ジョブにおける用紙サイズ情報、画像形式情報、画像最適化設定情報、ページレイアウト情報などが必要に応じて含まれる。
【００８７】
画像出力情報としては、クロッピングを行う際の領域を指定するクロッピングエリア情報、画像データのオブジェクトＩＤ、各画像についての印刷部数情報、各ジョブを固有なジョブＩＤ、画像データまたはジョブ指定ファイルのパス情報、各画像データの繰り返し供給回数情報（すなわち、同一の画像データを連続して何回、画像出力装置１へ供給するかを示す情報）などが必要に応じて含まれる。また、画像出力情報には、複数の画像の指定を含めることができ、複数のジョブの指定を含めることができる。
【００８８】
図９は、画像出力システムの参考構成例１において使用される印刷ジョブ開始コマンドＤＰＳ＿ＳｔａｒｔＪｏｂのＸＭＬスクリプトの一例を示す図である。図９において、ｊｏｂタグは、１つのジョブを指定するためのタグである。なお、ｘｘタグといった場合、＜ｘｘ＞タグと＜／ｘｘ＞タグの両方を指すものとする（以下、同様）。ｊｏｂタグの下位には、ｊｏｂＣｏｎｆｉｇタグおよびＰｒｉｎｔＩｎｆｏタグが配置される。ｊｏｂＣｏｎｆｉｇタグは、ジョブ条件設定情報を指定するためのタグである。
【００８９】
図９に示すスクリプトにおいては、ｊｏｂＣｏｎｆｉｇタグの下位に、ｑｕａｌｉｔｙタグ、ｐａｐｅｒＳｉｚｅタグ、ｐａｐｅｒＴｙｐｅタグ、ｆｉｌｅＴｙｐｅタグ、ｄａｔｅタグ、ｆｉｌｅＮａｍｅタグ、ｉｍａｇｅＯｐｔｉｍｉｚｅタグ、およびｌａｙｏｕｔＩｔｅｍタグが配置される。
【００９０】
ｑｕａｌｉｔｙタグは、標準、ドラフト、ファインなどのクオリティ情報を指定するためのタグである。ｐａｐｅｒＳｉｚｅタグは、Ａ４サイズなどの、このジョブにおける用紙サイズ情報を指定するためのタグであり、所定の数値（例えば、０２０１００００）で、用紙サイズが指定される。ｐａｐｅｒＴｙｐｅタグは、標準用紙、写真用紙などの、このジョブにおける用紙タイプ情報を指定するためのタグであり、所定の数値（例えば、０３０２００００）で、用紙サイズが指定される。ｆｉｌｅＴｙｐｅタグは、ＥＸＩＦ、ＪＰＥＧ、ＴＩＦＦ、ＧＩＦなどの、このジョブにおける画像形式情報を指定するためのタグであり、所定の数値（例えば、０３０２００００）で、画像形式が指定される。
【００９１】
さらに、ｄａｔｅタグは、ｐｒｉｎｔＩｎｆｏで指定される日付情報を印刷するか否かを指定するためのタグである。ｆｉｌｅＮａｍｅタグは、ｐｒｉｎｔＩｎｆｏで指定されるファイルパス情報を印刷するか否かを指定するためのタグである。ｉｍａｇｅＯｐｔｉｍｉｚｅタグは、画像最適化を行うか否かを示す画像最適化設定情報を指定するためのタグである。ｌａｙｏｕｔＩｔｅｍタグは、このジョブにおけるページレイアウトを指定するためのタグであり、所定の数値（例えば、０８０１００００）で、画像形式が指定される。
【００９２】
また、ｐｒｉｎｔＩｎｆｏタグは、画像出力情報を指定するためのタグである。ｐｒｉｎｔＩｎｆｏタグの下位には、ｉｍａｇｅタグが配置される。ｉｍａｇｅタグは、画像出力対象の画像を指定するためのタグである。図９に示すスクリプトにおいては、ｉｍａｇｅタグの下位に、ｉｍａｇｅＩＤタグおよびｉｍａｇｅＤａｔｅタグが配置される。ｉｍａｇｅＩＤタグは、画像出力対象の画像データのオブジェクトＩＤを指定するためのタグである。ｉｍａｇｅＤａｔｅタグは、画像の脇に印刷される日付を指定するためのタグである。
【００９３】
図９に示すスクリプトでは、ｉｍａｇｅタグは、１つだけであるが、複数の画像を出力する場合には、複数の画像のうちの各画像について、ｉｍａｇｅタグにより画像データのオブジェクトＩＤが指定される。また、同一の画像を複数回連続して出力する場合には、その画像のｉｍａｇｅタグの次に、ｃｏｐｉｅｓタグを配置して、その繰り返し供給回数を指定すればよい。
【００９４】
なお、図９におけるｄｐｓタグは、ＤＰＳに係るＸＭＬスクリプトであることを示すタグであり、属性としてＤＰＳで使用される名前空間情報の格納場所のＵＲＬ（Ｕｎｉｆｏｒｍ  Ｒｅｓｏｕｒｃｅ  Ｌｏｃａｔｏｒ）をとる。
【００９５】
画像供給装置２の通信制御部２２は、ＤＰＳプロトコル上ではジョブ開始コマンドのＸＭＬスクリプトを論理的には送信するが、そのＸＭＬスクリプトを画像転送プロトコルのコマンドに変換し、画像転送プロトコルのレベルでそのコマンドを処理する。
【００９６】
つまり、画像転送プロトコルに従って、画像供給装置２の通信制御部２２は、まず、ファイル転送要求コマンドＲｅｑｕｅｓｔＯｂｊｅｃｔＴｒａｎｓｆｅｒを送信する（ステップＳＳ１）。このコマンドは、ＵＳＢ層および物理層を介して画像出力装置１に伝送される。
【００９７】
画像出力装置１では、通信制御部１２が、画像転送プロトコルに従って、ファイル転送要求コマンドＲｅｑｕｅｓｔＯｂｊｅｃｔＴｒａｎｓｆｅｒを受信すると、転送するファイルの属性を問い合わせるコマンドＧｅｔＯｂｊｅｃｔＩｎｆｏを送信する（ステップＳＳ２）。このコマンドは、ＵＳＢ層および物理層を介して画像供給装置２に伝送される。
【００９８】
画像供給装置２では、通信制御部２２が、画像転送プロトコルに従って、コマンドＧｅｔＯｂｊｅｃｔＩｎｆｏを受信すると、コマンドＤＰＳ＿ＳｔａｒｔＪｏｂのＸＭＬスクリプトのファイル情報（ファイル形式、ファイル容量など）を送信する（ステップＳＳ３）。このファイル情報は、ＵＳＢ層および物理層を介して画像出力装置１に伝送される。
【００９９】
画像出力装置１では、通信制御部１２が、画像転送プロトコルに従って、そのファイル情報を受信すると、そのＸＭＬスクリプトを指定してファイル取得コマンドＧｅｔＯｂｊｅｃｔを送信する（ステップＳＳ４）。このファイル情報は、ＵＳＢ層および物理層を介して画像供給装置２に伝送される。
【０１００】
画像供給装置２では、通信制御部２２が、画像転送プロトコルに従って、コマンドＧｅｔＯｂｊｅｃｔを受信すると、指定されたファイル（コマンドＤＰＳ＿ＳｔａｒｔＪｏｂのＸＭＬスクリプト）を送信する（ステップＳＳ５）。このファイルは、ＵＳＢ層および物理層を介して画像出力装置１に伝送される。
【０１０１】
画像出力装置１では、通信制御部１２が、画像転送プロトコルに従ってそのファイルを受信すると、ＤＰＳプロトコル層においてコマンドＤＰＳ＿ＳｔａｒｔＪｏｂを受信したこととなる。
【０１０２】
ここで、画像出力装置１が図３および図４に示すプリンタであり、かつ画像供給装置２が図５および図６に示すデジタルカメラである場合、ＤＰＳプロトコルでの通信は、ＤＰＳプロトコル処理機能５２，８２および通信制御機能５１，８１により行われ、画像転送プロトコルでの通信は、通信制御機能５１と通信制御機能８１との間で行われる。
【０１０３】
次に、画像出力装置１は、取得した印刷ジョブ開始コマンドのＸＭＬスクリプトを解釈し（ステップＳ２）、そのＸＭＬスクリプトに記述された画像出力の対象である画像データを画像供給装置２から取得する（ステップＳ３）。
【０１０４】
この参考構成例１では、画像供給装置２からの印刷ジョブ開始コマンドを受けた後、画像出力装置１が、その印刷ジョブの処理フローを制御する。すなわち、画像出力装置１が、画像出力処理の進行を管理し、画像出力処理に必要な情報や画像データを画像供給装置２から適宜取得する。
【０１０５】
その際、画像出力装置１では、通信制御部１２が、ＤＰＳプロトコルに従って、ＸＭＬスクリプト内に記載されたオブジェクトＩＤ（ＰＴＰにおけるオブジェクトＩＤに対応）で画像データファイル３１を指定してＸＭＬスクリプトのファイル取得コマンドＤＰＳ＿ＧｅｔＦｉｌｅを発行する。なお、あるオブジェクトについてのＰＴＰにおけるオブジェクトＩＤとＤＰＳプロトコルにおけるオブジェクトＩＤは、同値としてもよいし、互いに異なる値としてもよい。両者の値が異なる場合には、ＤＰＳプロトコルとＰＴＰとの間で、オブジェクトＩＤのマッピングが適宜行われる。
【０１０６】
図１０は、画像出力システムの参考構成例１において使用されるファイル取得コマンドＤＰＳ＿ＧｅｔＦｉｌｅのＸＭＬスクリプトの一例を示す図である。図１０において、ｇｅｔＦｉｌｅＲｅｑｕｅｓｔタグは、ファイル取得コマンドであることを示すタグである。図１０においては、ｇｅｔＦｉｌｅＲｅｑｕｅｓｔタグの下位に、ｆｉｌｅＩＤタグおよびｂｕｆｆＰｔｒタグが配置される。ｆｉｌｅＩＤタグは、取得対象のファイルのオブジェクトＩＤを指定するためのタグである。ｂｕｆｆＰｔｒタグは、取得したファイルの受信に使用するバッファへのポインタを指定するためのタグである。
【０１０７】
通信制御部１２は、そのＤＰＳプロトコルのファイル取得コマンドＤＰＳ＿ＧｅｔＦｉｌｅを、画像転送プロトコルのファイル取得コマンドＧｅｔＯｂｊｅｃｔに変換し、送信する。このコマンドは、ＵＳＢ層および物理層を介して画像供給装置２に伝送される。
【０１０８】
なお、ファイル全体を取得するファイル取得コマンドＤＰＳ＿ＧｅｔＦｉｌｅの代わりに、ファイルの一部を取得するファイル部分取得コマンドＤＰＳ＿ＧｅｔＰａｒｔｉａｌＦｉｌｅを複数回送信してファイル全体を取得するようにしてもよい。このファイル部分取得コマンドＤＰＳ＿ＧｅｔＰａｒｔｉａｌＦｉｌｅは、画像転送プロトコルのコマンドＧｅｔＰａｒｔｉａｌＯｂｊｅｃｔに変換される。
【０１０９】
画像供給装置２では、通信制御部２２が、画像転送プロトコルに従って、コマンドＧｅｔＯｂｊｅｃｔを受信すると、指定されたオブジェクトＩＤのファイル（画像データファイル３１）を読み出し、送信する。このファイルは、ＵＳＢ層および物理層を介して画像出力装置１に伝送される。
【０１１０】
画像出力装置１では、通信制御部１２が、画像転送プロトコルに従ってそのファイルを受信すると、ＤＰＳプロトコル層においてもそのファイルを受信したこととなる。
【０１１１】
ここで、画像出力装置１が図３および図４に示すプリンタであり、かつ画像供給装置２が図５および図６に示すデジタルカメラである場合、この画像データの取得には、画像出力装置１におけるＤＰＳプロトコル処理機能５２および通信制御機能５１、並びに、画像供給装置２における通信制御機能８１およびファイルシステム管理機能８３が使用される。
【０１１２】
そして、画像出力装置１は、画像データを取得すると、その画像データに基づく画像を出力する（ステップＳ４）。その際、画像出力装置１では、出力制御部１３および出力機構１４が、画像出力処理を行う。
【０１１３】
ここで、画像出力装置１が図３および図４に示すプリンタである場合、画像出力処理には、画像処理機能５３、印刷データ生成機能５４および印刷制御機能５５が使用される。
【０１１４】
以上のように、上記画像出力システムの参考構成例１によれば、画像出力装置１および画像供給装置２が、画像出力に係る制御情報をマークアップ言語で記述した一連のスクリプトとして通信路３を介して送受する。これにより、マークアップ言語の構文の拡張性を利用して複数ベンダに対する互換性を維持しつつ、規定後にプロトコルを修正し易くすることができる。
【０１１５】
さらに、上記画像出力システムの参考構成例１によれば、マークアップ言語として、文書型を追加定義可能であるＸＭＬを使用する。これにより、規定後にプロトコルをより修正し易くすることができる。
【０１１６】
さらに、上記画像出力システムの参考構成例１によれば、通信制御部１２，２２が、マークアップ言語で記述した画像出力に係る制御情報を送受するＤＰＳプロトコルを解釈する第１のエンティティと、第１のエンティティの下位層で、画像供給装置２に格納された画像データを管理し画像出力装置１へ転送するＰＴＰを解釈する第２のエンティティと、第２のエンティティの下位層で、通信路３の物理層（ここではＵＳＢ）を制御する第３のエンティティとしてそれぞれ機能する。これにより、ＰＴＰ以下の階層では様々な既存のプロトコルを使用でき、規定後に画像出力に係るプロトコルを修正したい場合に、ＤＰＳプロトコルのみを修正すればよく、修正規模を小さくすることができる。
【０１１７】
さらに、上記画像出力システムの参考構成例１によれば、通信制御部１２，２２は、ラッパー層にて、第２のエンティティの画像データ管理転送プロトコルの種類（ここではＰＴＰ）に応じた、第１のエンティティのＤＰＳプロトコルと画像データ管理転送プロトコルとの間でのプロトコル変換を行う。これにより、採用される画像データ管理転送プロトコルの違いがラッパー層で吸収されるため、規定後に画像出力に係るプロトコルを修正したい場合に、ラッパー層をほとんど修正せずに画像出力制御プロトコルのみを修正すればよく、修正規模を小さくすることができる。
【０１１８】
さらに、上記画像出力システムの参考構成例１によれば、画像出力装置１の出力制御部１３が、画像出力の処理フローを制御する。これにより、画像供給装置２の情報処理量がほとんど増加せず、画像供給装置２の情報処理性能が低くても本システムを実現することができる。
【０１１９】
さらに、上記画像出力システムの参考構成例１によれば、通信制御部１２，２２が、画像出力に係る制御情報として、画像出力処理における制御コマンド、その制御コマンドに対する応答、および装置の状態（ジョブの状態を含む）の通知をマークアップ言語で記述した一連のスクリプトとして送受する。これにより、テキストベースで読み易い制御コマンド、その応答、装置の状態通知などを送受でき、複数ベンダに対する互換性を維持しつつ、規定後にプロトコルを修正し易くすることができる。
【０１２０】
さらに、上記画像出力システムの参考構成例１によれば、通信制御部１２，２２が、マークアップ言語で記述した一連のスクリプトとして、画像出力の対象となる画像データを含まず、画像出力に係る制御情報のみを含むスクリプトを送受する。これにより、画像出力の対象となるデータの形式を既存のものから変更することなく、画像出力の対象となるデータから独立してマークアップ言語による制御情報を送受することができる。
【０１２１】
さらに、上記画像出力システムの参考構成例１によれば、画像出力装置１が、画像を出力する出力機構１４と、画像データから出力機構を制御するための印刷制御データを生成しその印刷制御データに基づいて出力機構を制御する出力制御部１３とを備える。これにより、画像供給装置２には、画像データから出力機構を制御する印刷制御データを生成する機能（パーソナルコンピュータなどで使用される従来のプリンタドライバに含まれる機能）がなくてもよく、画像供給装置２を安価にすることができる。
【０１２２】
さらに、上記画像出力システムの参考構成例１によれば、画像出力装置１のＸＭＬパーサ６３を、マークアップ言語のタグのうち、画像出力に係る制御情報の記述に必要なタグのみを判別するようにした場合には、ＸＭＬパーサ６３を小規模な回路やプログラムで実現でき、画像出力装置１を安価にすることができる。
【０１２３】
さらに、上記画像出力システムの参考構成例１によれば、画像供給装置２のＸＭＬパーサ９３を、マークアップ言語のタグのうち、画像出力に係る制御情報の記述に必要なタグのみを判別するようにした場合には、ＸＭＬパーサ９３を小規模な回路やプログラムで実現でき、画像供給装置２を安価にすることができる。
【０１２４】
さらに、上記画像出力システムの参考構成例１によれば、通信制御部１２，２２が、スクリプトのテンプレートを制御情報の種類ごとに格納し、そのテンプレートから制御情報のスクリプトを生成する。これにより、テンプレートで確定していない部分のみを編集すればよいため、短時間で制御情報のスクリプトを生成することができる。
【０１２５】
さらに、上記画像出力システムの参考構成例１によれば、画像供給装置２の通信制御部２２および通信回路２１は、操作部２５に対して所定の操作があると、印刷ジョブ開始コマンドを制御情報として画像出力装置１に送信する。画像出力装置１の出力制御部１３は、通信制御部１２および通信回路１１により印刷ジョブ開始コマンドが受信されると、その印刷ジョブ開始コマンドに従って画像出力の処理を開始する。これにより、ユーザが画像供給装置２の操作部２５を操作することで画像出力を行わせることができるため、画像供給装置２がユーザフレンドリな操作部２５を有している場合にその操作部２５により操作性が向上する。
【０１２６】
さらに、上記画像出力システムの参考構成例１によれば、画像出力装置１の通信制御部１２は、画像出力の処理において、画像供給装置２に格納された画像データが必要になると、その画像データの転送要求を画像供給装置２に送信する。画像供給装置２の通信制御部２２は、その画像データの転送要求を受信すると、その画像データを画像出力装置１に送信する。これにより、画像供給装置２は画像出力装置１からの要求に応じて画像データを送信すればよいため、画像供給装置２の情報処理量がほとんど増加せず、画像供給装置２の情報処理性能が低くても本システムを実現することができる。
【０１２７】
画像出力システムの参考構成例２．
画像出力システムの参考構成例２では、画像供給装置２が、画像データおよび印刷ジョブを指定するジョブ指定ファイルを格納し、画像出力装置１が、そのジョブ指定ファイルを取得し、そのジョブ指定ファイルの情報に基づいて、マークアップ言語で記述した画像出力に係る制御情報を生成する。
【０１２８】
この参考構成例２では、画像データおよびジョブ指定ファイルが、ＤＰＯＦ（Ｄｉｇｉｔａｌ  Ｐｒｉｎｔ  Ｏｒｄｅｒ  Ｆｏｒｍａｔ）方式で記録媒体２４に格納される。ＤＰＯＦ規格は、現在ＤＰＯＦ１．１０のバージョンであるが、将来提案される次バージョン以降のものであってもよい。また、同等の作用を得られる他の規格のものをＤＰＯＦの代わりに使用してもよい。
【０１２９】
図１１は、ＤＰＯＦ方式のディレクトリ構造を説明する図である。ＤＰＯＦ方式のディレクトリ構造では、ルートの下位ディレクトリとして、画像データファイルの上位となるディレクトリＤＣＩＭおよびジョブ指定ファイルの上位となるディレクトリＭＩＳＣがある。ディレクトリＤＣＩＭの下位には、ベンダ固有のディレクトリ（ここでは、１００ＥＰＳＯＮ）が設けられ、その中に画像データファイル（ここでは、ＩＭＡＧ０００１．ＪＰＧなど）がある。一方、ディレクトリＭＩＳＣには、印刷ジョブの指定ファイルであるＡＵＴＰＲＩＮＴ．ＭＲＫがある。ＤＰＯＦ方式のジョブ指定ファイルＡＵＴＰＲＩＮＴ．ＭＲＫには、プリントジョブ情報、画像ソース情報、印刷設定情報などが含まれている。
【０１３０】
図１２は、ＤＰＯＦ方式のジョブ指定ファイルＡＵＴＰＲＩＮＴ．ＭＲＫの一例を示す図である。図１２に示す自動印刷ファイルＡＵＴＰＲＩＮＴ．ＭＲＫには、３つのジョブが含まれており、それぞれのジョブに対して、ジョブＩＤ（ＰＲＴ  ＰＩＤ）、印刷種類（ＰＲＴ  ＴＹＰ）、印刷部数（ＰＲＴ  ＱＴＹ）、画像データの格納場所（ＩＭＧ  ＳＲＣ）、および画像データのフォーマット（ＩＭＧ  ＦＭＴ）が指定されている。
【０１３１】
なお、この参考構成例２における画像出力装置１および画像供給装置２の基本的な構成は、上記参考構成例１の場合と同様である。ただし、この参考構成例２における通信制御部１２および通信制御部２２の動作は、以下に説明するように変更される。
【０１３２】
次に、上記システムの各装置の動作について説明する。図１３は、画像出力システムの参考構成例２における、ＤＰＳプロトコルレベルでの画像出力処理を説明する図である。図１４は、画像出力システムの参考構成例２における、画像転送プロトコルレベルでの画像出力処理を説明する図である。
【０１３３】
まず、例えば操作部２５に対して所定の操作があると、画像供給装置２が、通信路３を介して画像出力装置１へ、印刷ジョブ開始コマンドを送信する（ステップＳ２１）。
【０１３４】
その際、画像供給装置２では、通信制御部２２が、印刷ジョブ開始コマンドＤＰＳ＿ＳｔａｒｔＪｏｂのＸＭＬスクリプトを生成し、送信する。ここでは、このＸＭＬスクリプト内で、ジョブ指定ファイルを使用することが記述される。すなわち、例えば図９に示すようなスクリプトにおいて、画像データを指定するｉｍａｇｅＩＤタグでジョブ指定ファイルが指定される。その指定には、ジョブ指定ファイルのオブジェクトＩＤが使用される。
【０１３５】
この印刷ジョブ開始コマンドＤＰＳ＿ＳｔａｒｔＪｏｂのＸＭＬスクリプトのついての画像供給装置２から画像出力装置１への伝送の際の通信処理は、上記参考構成例１におけるステップＳ１の場合と同様であるので、その説明を省略する。
【０１３６】
次に、画像出力装置１は、取得したＸＭＬスクリプトを解釈し（ステップＳ２２）、そのＸＭＬスクリプトに記述されたジョブ指定ファイルを画像供給装置２から取得する（ステップＳ２３）。
【０１３７】
その際、画像出力装置１では、通信制御部１２が、ＤＰＳプロトコルに従って、ＸＭＬスクリプト内に記載されたオブジェクトＩＤ（ＰＴＰにおけるオブジェクトＩＤに対応）でジョブ指定ファイルを指定してＸＭＬスクリプトのファイル情報取得コマンドＤＰＳ＿ＧｅｔＦｉｌｅＩｎｆｏを送信する。通信制御部１２は、そのＤＰＳプロトコルのファイル情報取得コマンドＤＰＳ＿ＧｅｔＦｉｌｅＩｎｆｏを、画像転送プロトコルのファイル情報取得コマンドＧｅｔＯｂｊｅｃｔＩｎｆｏに変換し、送信する（ステップＳＳ１１）。このコマンドは、ＵＳＢ層および物理層を介して画像供給装置２に伝送される。
【０１３８】
画像供給装置２では、通信制御部２２が、画像転送プロトコルに従って、コマンドＧｅｔＯｂｊｅｃｔＩｎｆｏを受信すると、指定されたオブジェクトＩＤのファイルのファイル情報を送信する（ステップＳＳ１２）。このファイル情報は、ＵＳＢ層および物理層を介して画像出力装置１に伝送される。
【０１３９】
画像出力装置１では、通信制御部１２が、画像転送プロトコルに従ってそのファイル情報を受信すると、そのファイル情報をＸＭＬスクリプトとして記述し、ＤＰＳプロトコル層に渡す。
【０１４０】
次に、画像出力装置１では、通信制御部１２が、ＤＰＳプロトコルに従って、オブジェクトＩＤでジョブ指定ファイルを指定してＸＭＬスクリプトのファイル取得コマンドＤＰＳ＿ＧｅｔＦｉｌｅを発行する。通信制御部１２は、そのＤＰＳプロトコルのファイル取得コマンドＤＰＳ＿ＧｅｔＦｉｌｅを、画像転送プロトコルのファイル取得コマンドＧｅｔＯｂｊｅｃｔに変換し、送信する（ステップＳＳ１３）。このコマンドは、ＵＳＢ層および物理層を介して画像供給装置２に伝送される。
【０１４１】
画像供給装置２では、通信制御部２２が、画像転送プロトコルに従って、コマンドＧｅｔＯｂｊｅｃｔを受信すると、指定されたオブジェクトＩＤのファイル（ジョブ指定ファイル）を読み出し、送信する（ステップＳＳ１４）。このファイルは、ＵＳＢ層および物理層を介して画像出力装置１に伝送される。
【０１４２】
画像出力装置１では、通信制御部１２が、画像転送プロトコルに従ってそのファイルを受信すると、ＤＰＳプロトコル層においてもそのファイルを受信したこととなる。
【０１４３】
ここで、画像出力装置１が図３および図４に示すプリンタであり、かつ画像供給装置２が図５および図６に示すデジタルカメラである場合、このジョブ指定ファイルの取得には、画像出力装置１におけるＤＰＳプロトコル処理機能５２および通信制御機能５１、並びに、画像供給装置２における通信制御機能８１およびファイルシステム管理機能８３が使用される。
【０１４４】
そして、画像出力装置１の通信制御部１２は、ジョブ指定ファイルを取得すると、そのジョブ指定ファイルを解釈する（ステップＳ２４）。
【０１４５】
画像出力装置１の通信制御部１２は、そのジョブ指定ファイルに記述された各ジョブにおいて指定された画像データを画像供給装置２から取得する（ステップＳ２５）。
【０１４６】
その際、まず、ＤＰＯＦ方式のジョブ指定ファイルＡＵＴＰＲＩＮＴ．ＭＲＫでは、画像データファイルの格納場所が相対パスで記述されているため、その画像データのオブジェクトＩＤを取得するために、画像出力装置１では、通信制御部１２が、ＤＰＳプロトコルに従って、パスを指定してそのパスのファイルのオブジェクトＩＤを取得するためのコマンドＤＰＳ＿ＧｅｔＯｂｊｅｃｔＩＤをＸＭＬスクリプトとして生成し、送信する。
【０１４７】
図１５は、画像出力システムの参考構成例２において使用されるオブジェクトＩＤ取得コマンドＤＰＳ＿ＧｅｔＯｂｊｅｃｔＩＤのＸＭＬスクリプトの一例を示す図である。図１５において、ｇｅｔＯｂｊｅｃｔＩＤＲｅｑｕｅｓｔタグは、オブジェクトＩＤ取得コマンドであることを示すタグである。図１５においては、ｇｅｔＯｂｊｅｃｔＩＤＲｅｑｕｅｓｔタグの下位に、ｂａｓｅＰａｔｈＩＤタグおよびｉｍａｇｅＰａｔｈタグが配置される。ｂａｓｅＰａｔｈＩＤタグは、ｉｍａｇｅＰａｔｈタグで指定する相対パスの基礎となるディレクトリを指定するためのタグである。ｉｍａｇｅＰａｔｈタグは、オブジェクトＩＤを取得する対象となるファイルを、ｂａｓｅＰａｔｈＩＤタグで指定されたディレクトリからの相対パスで指定するためのタグである。
【０１４８】
画像出力装置１の通信制御部１２は、ＤＰＳプロトコル層でのコマンドＤＰＳ＿ＧｅｔＯｂｊｅｃｔＩＤの発行を受けて、画像転送プロトコルに従って、コマンドＳｅｎｄＯｂｊｅｃｔＩｎｆｏとＸＭＬスクリプトのファイル情報、およびコマンドＳｅｎｄＯｂｊｅｃｔとＸＭＬスクリプトを送信する（ステップＳＳ２１〜ＳＳ２４）。これらのコマンド、ファイル情報およびＸＭＬスクリプトは、ＵＳＢ層および物理層を介して画像供給装置２に伝送される。
【０１４９】
画像供給装置２では、通信制御部２２は、画像転送プロトコルに従って、それらのコマンド、ファイル情報およびＸＭＬスクリプトを受信し、ＤＰＳプロトコルに従って、ＸＭＬスクリプトであるコマンドＤＰＳ＿ＧｅｔＯｂｊｅｃｔＩＤを受信する。
【０１５０】
画像供給装置２の通信制御部２２は、ＤＰＳプロトコルに従って、受信したコマンドＤＰＳ＿ＧｅｔＯｂｊｅｃｔＩＤのＸＭＬスクリプトを解釈し、コマンドＤＰＳ＿ＧｅｔＯｂｊｅｃｔＩＤで指定されたパスのファイルに割り当てられているオブジェクトＩＤを特定し、コマンドＤＰＳ＿ＧｅｔＯｂｊｅｃｔＩＤに対する応答として、そのオブジェクトＩＤを示すＸＭＬスクリプトを生成し、送信する。
【０１５１】
図１６は、画像出力システムの参考構成例２において使用されるオブジェクトＩＤ取得コマンドＤＰＳ＿ＧｅｔＯｂｊｅｃｔＩＤの応答のＸＭＬスクリプトの一例を示す図である。図１６において、ｏｐＲｅｓｕｌｔタグは、オブジェクトＩＤ取得コマンドの処理結果コードを指定するためのタグである。また、ｇｅｔＯｂｊｅｃｔＩＤＲｅｓｐｏｎｓｅタグは、オブジェクトＩＤ取得コマンドの処理結果の戻り値を指定するためのタグである。図１６においては、ｇｅｔＯｂｊｅｃｔＩＤＲｅｓｐｏｎｓｅタグの下位に、ｂａｓｅＰａｔｈＩＤタグ、ｉｍａｇｅＰａｔｈタグおよびｉｍａｇｅＩＤタグが配置される。ｂａｓｅＰａｔｈＩＤタグおよびｉｍａｇｅＰａｔｈタグは、コマンド内で指定されたものと同一であり、ｉｍａｇｅＩＤタグは、コマンドの処理結果として得られたオブジェクトＩＤを指定するためのタグである。
【０１５２】
画像供給装置２の通信制御部２２は、ＤＰＳプロトコル層でのコマンドＤＰＳ＿ＧｅｔＯｂｊｅｃｔＩＤへの応答を受けて、画像転送プロトコルに従って、まず、ファイル転送要求コマンドＲｅｑｕｅｓｔＯｂｊｅｃｔＴｒａｎｓｆｅｒを送信する（ステップＳＳ３１）。このコマンドは、ＵＳＢ層および物理層を介して画像出力装置１に伝送される。
【０１５３】
画像出力装置１では、通信制御部１２が、画像転送プロトコルに従って、ファイル転送要求コマンドＲｅｑｕｅｓｔＯｂｊｅｃｔＴｒａｎｓｆｅｒを受信すると、転送するファイルの属性を問い合わせるコマンドＧｅｔＯｂｊｅｃｔＩｎｆｏを送信する（ステップＳＳ３２）。このコマンドは、ＵＳＢ層および物理層を介して画像供給装置２に伝送される。
【０１５４】
画像供給装置２では、通信制御部２２が、画像転送プロトコルに従って、コマンドＧｅｔＯｂｊｅｃｔＩｎｆｏを受信すると、コマンドＤＰＳ＿ＧｅｔＯｂｊｅｃｔＩＤへの応答のＸＭＬスクリプトのファイル情報を送信する（ステップＳＳ３３）。このファイル情報は、ＵＳＢ層および物理層を介して画像出力装置１に伝送される。
【０１５５】
画像出力装置１では、通信制御部１２が、画像転送プロトコルに従って、そのファイル情報を受信すると、その応答のＸＭＬスクリプトを指定してファイル取得コマンドＧｅｔＯｂｊｅｃｔを送信する（ステップＳＳ３４）。このファイル情報は、ＵＳＢ層および物理層を介して画像供給装置２に伝送される。
【０１５６】
画像供給装置２では、通信制御部２２が、画像転送プロトコルに従って、コマンドＧｅｔＯｂｊｅｃｔを受信すると、指定されたファイル（コマンドＤＰＳ＿ＧｅｔＯｂｊｅｃｔＩＤへの応答のＸＭＬスクリプト）を送信する（ステップＳＳ３５）。このファイルは、ＵＳＢ層および物理層を介して画像出力装置１に伝送される。
【０１５７】
画像出力装置１では、通信制御部１２が、画像転送プロトコルに従ってそのファイルを受信すると、ＤＰＳプロトコル層においてコマンドＤＰＳ＿ＧｅｔＯｂｊｅｃｔＩＤに対する応答を受信したこととなる。
【０１５８】
このようにして、画像出力装置１は、ジョブ指定ファイルにおいて指定された画像データファイルのオブジェクトＩＤを取得する。
【０１５９】
そして、画像出力装置１では、通信制御部１２が、ＤＰＳプロトコルに従って、取得したオブジェクトＩＤで画像データファイルを指定してＸＭＬスクリプトのファイル情報取得コマンドＤＰＳ＿ＧｅｔＦｉｌｅＩｎｆｏを送信する。
【０１６０】
図１７は、画像出力システムの参考構成例２において使用されるファイル情報取得コマンドＤＰＳ＿ＧｅｔＦｉｌｅＩｎｆｏのＸＭＬスクリプトの一例を示す図である。図１７において、ｇｅｔＦｉｌｅＩｎｆｏＲｅｑｕｅｓｔタグは、ファイル情報取得コマンドであることを示すタグである。図１７においては、ｇｅｔＦｉｌｅＩｎｆｏＲｅｑｕｅｓｔタグの下位に、ｆｉｌｅＩＤタグが配置される。ｆｉｌｅＩＤタグは、ファイル情報取得の対象のファイルのオブジェクトＩＤを指定するためのタグである。
【０１６１】
画像出力装置１の通信制御部１２は、そのＤＰＳプロトコルのファイル情報取得コマンドＤＰＳ＿ＧｅｔＦｉｌｅＩｎｆｏを、画像転送プロトコルのファイル情報取得コマンドＧｅｔＯｂｊｅｃｔＩｎｆｏに変換し、送信する。このコマンドは、ＵＳＢ層および物理層を介して画像供給装置２に伝送される。
【０１６２】
画像供給装置２では、通信制御部２２が、画像転送プロトコルに従って、コマンドＧｅｔＯｂｊｅｃｔＩｎｆｏを受信すると、指定されたオブジェクトＩＤのファイルのファイル情報を送信する。このファイル情報は、ＵＳＢ層および物理層を介して画像出力装置１に伝送される。
【０１６３】
画像出力装置１では、通信制御部１２が、画像転送プロトコルに従ってそのファイル情報を受信すると、そのファイル情報をＸＭＬスクリプトとして記述し、ＤＰＳプロトコル層に渡す。
【０１６４】
図１８は、画像出力システムの参考構成例２において使用されるファイル情報取得コマンドＤＰＳ＿ＧｅｔＦｉｌｅＩｎｆｏの応答のＸＭＬスクリプトの一例を示す図である。図１８において、ｏｐＲｅｓｕｌｔタグは、オブジェクトＩＤ取得コマンドの処理結果コードを指定するためのタグである。また、ｇｅｔＦｉｌｅＩｎｆｏＲｅｓｐｏｎｓｅタグは、ファイル情報取得コマンドの処理結果の戻り値を指定するためのタグである。図１８においては、ｇｅｔＦｉｌｅＩｎｆｏＲｅｓｐｏｎｓｅタグの下位に、ｆｉｌｅＴｙｐｅタグおよびｆｉｌｅＳｉｚｅタグが配置される。ｆｉｌｅＴｙｐｅタグは、ファイル情報のうちのファイルの形式を指定するためのタグである。ｆｉｌｅＳｉｚｅタグは、ファイル情報のうちのファイルサイズを指定するためのタグである。なお、ファイル形式は、各形式に予め割り当てられている番号により指定される。
【０１６５】
次に、画像出力装置１では、通信制御部１２が、ＤＰＳプロトコルに従って、取得したオブジェクトＩＤで画像データファイルを指定してＸＭＬスクリプトのファイル取得コマンドＤＰＳ＿ＧｅｔＦｉｌｅを送信する。通信制御部１２は、そのＤＰＳプロトコルのファイル取得コマンドＤＰＳ＿ＧｅｔＦｉｌｅを、画像転送プロトコルのファイル取得コマンドＧｅｔＯｂｊｅｃｔに変換し、送信する。このコマンドは、ＵＳＢ層および物理層を介して画像供給装置２に伝送される。
【０１６６】
なお、ファイル全体を取得するファイル取得コマンドＤＰＳ＿ＧｅｔＦｉｌｅの代わりに、ファイルの一部を取得するファイル部分取得コマンドＤＰＳ＿ＧｅｔＰａｒｔｉａｌＦｉｌｅを複数回送信してファイル全体を取得するようにしてもよい。このファイル部分取得コマンドＤＰＳ＿ＧｅｔＰａｒｔｉａｌＦｉｌｅは、画像転送プロトコルのコマンドＧｅｔＰａｒｔｉａｌＯｂｊｅｃｔに変換される。
【０１６７】
画像供給装置２では、通信制御部２２が、画像転送プロトコルに従って、コマンドＧｅｔＯｂｊｅｃｔを受信すると、指定されたオブジェクトＩＤのファイル（画像データファイル３１）を読み出し、送信する。このファイルは、ＵＳＢ層および物理層を介して画像出力装置１に伝送される。
【０１６８】
画像出力装置１では、通信制御部１２が、画像転送プロトコルに従ってそのファイルを受信すると、ＤＰＳプロトコル層においてもそのファイルを受信したこととなる。
【０１６９】
ここで、画像出力装置１が図３および図４に示すプリンタであり、かつ画像供給装置２が図５および図６に示すデジタルカメラである場合、この画像データの取得には、画像出力装置１におけるＤＰＳプロトコル処理機能５２および通信制御機能５１、並びに、画像供給装置２における通信制御機能８１およびファイルシステム管理機能８３が使用される。
【０１７０】
そして、画像出力装置１は、画像データを取得すると、その画像データに基づく画像を出力する（ステップＳ２６）。その際、画像出力装置１では、出力制御部１３および出力機構１４が、画像出力処理を行う。
【０１７１】
ここで、画像出力装置１が図３および図４に示すプリンタである場合、画像出力処理には、画像処理機能５３、印刷データ生成機能５４および印刷制御機能５５が使用される。
【０１７２】
このように、この参考構成例２では、画像供給装置２に格納されたジョブ指定ファイルが画像出力装置１に転送され、画像出力装置１がジョブ指定ファイルを解釈し、ジョブを実行する。また、他の実施例として、画像供給装置２が、ジョブ指定ファイルを解釈し、そのジョブ指定ファイルの内容に従ってジョブ開始コマンドを生成し、画像出力装置１に送信し、画像出力装置１が、そのジョブ開始コマンドを解釈してジョブを実行するようにしてもよい。
【０１７３】
なお、この画像出力システムの参考構成例２は、後述の実施の形態のいずれとも組み合わせ可能である。
【０１７４】
以上のように、上記画像出力システムの参考構成例２によれば、画像供給装置２が、画像データおよび印刷ジョブを指定するジョブ指定ファイル（ここでは、ＤＰＯＦのＡＵＴＰＲＩＮＴ．ＭＲＫファイル）を格納し、画像出力装置１が、そのジョブ指定ファイルを取得し、指示されたジョブを解釈し、そのジョブ指定ファイルの情報に基づいて、マークアップ言語で記述した画像出力に係る制御情報を生成する。これにより、ＤＰＯＦ方式などの既存のジョブ指定ファイルを使用でき、簡単に複雑な印刷ジョブを実行することができる。
【０１７５】
さらに、上記画像出力システムの参考構成例２によれば、画像供給装置２は、画像出力対象の１または複数の画像データおよびジョブ指定ファイルのいずれか一方を印刷ジョブ開始コマンドにおいて指定することができる。画像出力装置１は、印刷ジョブ開始コマンドにおいて画像データが指定された場合には、その印刷ジョブ開始コマンドに従って画像供給装置２からその画像データを取得し、印刷ジョブ開始コマンドにおいてジョブ指定ファイルが指定された場合には、その印刷ジョブ開始コマンドに従って画像供給装置２からそのジョブ指定ファイルを取得し、そのジョブ指定ファイルにおいて指定された画像データを画像供給装置２から取得する。これにより、画像データごとに、あるいはジョブ指定ファイルで纏めて、画像出力の対象となる画像データを指定することができ、様々なパターンの印刷ジョブを行うことができる。
【０１７６】
実施の形態１．
本発明の実施の形態１に係る画像供給装置２は、上記参考構成例１または２に係る画像出力システムにおいて画像出力装置１が自律復旧できない障害（例えば紙送り機構の障害である紙ジャム、インク切れ、トナー切れ、電源の正常オフまたは異常遮断といった電源断、通信ケーブルの切断または脱落といった通信路切断など）から復旧した際のリカバリ処理を行うようにしたものである。
【０１７７】
なお、実施の形態１に係る画像供給装置２および画像出力装置１の基本的な構成は、画像出力システムの参考構成例１，２の場合と同様であるが、リカバリ処理に係る下記の機能が追加される。
【０１７８】
すなわち、画像供給装置２は、画像供給装置２に接続される画像出力装置１から、ページ単位または画像単位の印刷進捗状況を示す制御情報を受信し、記憶しておき、復旧後に印刷処理を再開する場合に、印刷処理を新たに開始させる印刷ジョブ開始コマンドとともに、最新の制御情報に基づいて印刷再開位置を指定する再開情報を制御情報として画像出力装置１へ送信する。
【０１７９】
一方、画像供給装置２に接続される画像出力装置１は、印刷処理におけるページレイアウト内の所定位置（最初、最後など）に割り当てられた印刷対象を示す制御情報、印刷を開始したまたは完了した画像を示す制御情報などを画像供給装置２に送信し、障害により印刷処理が中止された後に、印刷処理を新たに開始させる印刷ジョブ開始コマンドとともに、再開時の最初の印刷対象を指定する制御情報を画像供給装置２から受信し、その印刷対象から印刷処理を再開する。
【０１８０】
実施の形態１に係る画像供給装置２における中央制御部２３は、画像出力装置１による印刷ジョブの中止または中断を検知する障害検知手段、画像出力装置１による印刷ジョブの中止または中断の後の画像出力装置１の復旧を検知する復旧検知手段、および画像の印刷進捗状況を示す制御情報（すなわち、再開情報）に基づいて印刷ジョブの中止または中断の時に完了していない画像を特定する印刷未完画像特定手段として機能する。
【０１８１】
また、実施の形態１に係る画像供給装置２は、送信した印刷ジョブ開始コマンドの内容の一部または全部を記憶する記憶手段（図示せず）を備える。その記憶手段としては、揮発性メモリ、不揮発性メモリなどが使用される。なお、実施の形態１に係る画像供給装置２を例えば図５に示すようなデジタルカメラとした場合、図５におけるＲＡＭ７３および／またはメモリカード７５をこの記憶手段として使用してもよい。また、これらとは独立したメモリを画像供給装置２に設けるようにしてもよい。
【０１８２】
次に、実施の形態１に係る画像供給装置２および画像供給装置２に接続された画像出力装置１の動作について説明する。
【０１８３】
図１９は、実施の形態１に係る画像供給装置に接続される画像出力装置についての状態遷移図である。図１９に示すように、画像出力装置１は、印刷ジョブがないと、ジョブなし状態（すなわち、アイドル状態）にあり、画像供給装置２から印刷ジョブを供給されると、印刷状態に移行し、印刷処理を行う。そして、印刷ジョブが終了し、後続の印刷ジョブがないと、画像出力装置１は、ジョブなし状態に移行する。なお、この状態の管理は、画像出力装置１の出力制御部１３により行われる。
【０１８４】
印刷状態において障害が発生すると、画像出力装置１は、ホールド状態に移行し、印刷処理を中断する。自律復旧可能な障害の場合には、障害がなくなると、画像出力装置１は、印刷状態に戻り、中断した印刷処理を再開する。一方、紙ジャム、通信路切断などの自律復旧不能な障害の場合には、画像出力装置１は、リセット指令があるまでホールド状態のままとなり、リセット指令があると、中断した印刷ジョブを廃棄して、ジョブなし状態に移行する。その時に残りの印刷ジョブがある場合やその後に新たな印刷ジョブが発生した場合には、画像出力装置１は、印刷状態に移行する。
【０１８５】
また、画像出力装置１の電源が断たれた場合、画像出力装置１における印刷ジョブが消失するので、その後、電源が投入された場合には、画像出力装置１は、ジョブなし状態となる。
【０１８６】
次に、リカバリ処理について説明する。なお、リカバリ処理の手順は、下記に示すように、障害の種類などに応じて、複数種類のいずれかが選択される。
【０１８７】
まず、紙ジャム、インク切れ、通信路切断、電源の正常断、電源の異常断などの自律復旧不能な障害が発生した場合のリカバリ処理の一例について説明する。図２０は、実施の形態１に係る画像供給装置２および画像出力装置１の、リカバリ時に必要な再開情報を送受する正常時の処理を説明するフローチャートである。図２１は、実施の形態１に係る画像供給装置２および画像出力装置１のリカバリ処理の一例について説明するフローチャートである。図２２は、リカバリ処理における異常検知時処理の詳細について説明するフローチャートである。図２３は、リカバリ処理における復旧検知時処理の詳細について説明するフローチャートである。
【０１８８】
まず、印刷状態において、画像出力装置１は、印刷ジョブ開始コマンドにおいて指定されたページレイアウトおよび画像に基づいてそのページレイアウトにその画像を順次割り当てて印刷処理を実行するが、その際、あるページから次ページへの切り換わりを検出すると（ステップＳ１０１）、切換後のページ最初でのジョブ状態情報を、再開情報として画像供給装置２に送信する。
【０１８９】
例えば、画像出力装置１は、切換後のページのページレイアウトの最初に使用される画像データを指定している印刷ジョブのジョブＩＤ（ＤＰＯＦの「ＰＲＴＰＩＤ」の値に相当するもの）、その画像データの格納場所のパス（ＤＰＯＦの「ＩＭＧ  ＳＲＣ」の値に相当するもの）、および繰り返し供給回数（ＤＰＯＦの「ＰＲＴ  ＱＴＹ」の値に相当するもの）を再開情報として画像供給装置２に送信する（ステップＳ１０２）。
【０１９０】
その際、出力制御部１３が、この再開情報を纏め、通信制御部１２に供給し、通信制御部１２が、通信回路１１を制御して、その再開情報を画像供給装置２に送信する。
【０１９１】
例えば、１ページ内に画像を１つ配置するページレイアウトの場合に、図１２に示すジョブ指定ファイルに基づいて画像を印刷するときには、まず、第１ページの印刷が終わり第２ページの印刷が開始されると、画像出力装置１は、ジョブＩＤ「００１」、画像データのファイルパス「．／ＤＣＩＭ／１００ＥＰＳＯＮ／ＩＭＡＧ０００１．ＪＰＧ」および繰り返し供給回数「００２」を含む再開情報を画像供給装置２に送信する。また、その場合において、第２ページの印刷が終わり第３ページの印刷が開始されると、画像出力装置１は、ジョブＩＤ「００２」、画像データのファイルパス「．／ＤＣＩＭ／１００ＥＰＳＯＮ／ＩＭＡＧ０００２．ＪＰＧ」および繰り返し供給回数「００１」を含む再開情報を画像供給装置２に送信する。
【０１９２】
なお、この実施の形態１では、ページの切り換わりが発生すると、画像出力装置１の通信制御部１２が、ＤＰＳプロトコルに従って、その時点でのジョブ状態情報を通知するジョブ状態通知コマンドＤＰＳ＿ＮｏｔｉｆｙＪｏｂＳｔａｔｕｓのＸＭＬスクリプトを生成し、送信する。コマンドＤＰＳ＿ＮｏｔｉｆｙＪｏｂＳｔａｔｕｓのＸＭＬスクリプトでは、ジョブＩＤを示すタグ＜ｐｒｔＰｉｄ＞，＜／ｐｒｔＰｉｄ＞でジョブＩＤの値（印刷ジョブの識別情報）が囲まれ、画像データの格納場所のパスを示すタグ＜ｉｍａｇｅＰａｔｈ＞，＜／ｉｍａｇｅＰａｔｈ＞で画像データの格納場所のパスの値（画像データの識別情報）が囲まれ、繰り返し供給回数を示すタグ＜ｃｏｐｙＩｄ＞，＜／ｃｏｐｙＩｄ＞で繰り返し供給回数の値（印刷部数情報）が囲まれる。
【０１９３】
図２４は、実施の形態１において使用されるジョブ状態通知コマンドＤＰＳ＿ＮｏｔｉｆｙＪｏｂＳｔａｔｕｓのＸＭＬスクリプトの一例を示す図である。図２４において、ｎｏｔｉｆｙＪｏｂＳｔａｔｕｓＲｅｑｕｅｓｔタグは、ジョブ状態通知コマンドであることを示すタグである。図２４においては、ｎｏｔｉｆｙＪｏｂＳｔａｔｕｓＲｅｑｕｅｓｔタグの下位に、ｊＳｔａｔｕｓタグ、ｐｒｔＰｉｄタグ、ｉｍａｇｅＰａｔｈタグ、ｃｏｐｙＩｄタグ、ｐｒｏｇｒｅｓｓタグおよびｊＥｎｄＲｅａｓｏｎタグが配置される。
【０１９４】
なお、ジョブ指定ファイルとしてＤＰＯＦの自動印刷ファイル（ＡＵＴＰＲＩＮＴ．ＭＲＫ）が使用される場合には、ｐｒｔＰｉｄタグ、ｉｍａｇｅＰａｔｈタグおよびｃｏｐｙＩｄタグで指定される値に、画像出力装置１により取得されたＡＵＴＰＲＩＮＴ．ＭＲＫにおける値が使用され、その時点で処理中のジョブのジョブＩＤ、画像データのパスおよび繰り返し供給回数の値が設定される。
【０１９５】
また、ｊＳｔａｔｕｓタグは、ジョブの状態が印刷状態、ジョブなし状態およびホールド状態のいずれであるかを指定するためのタグである。ｐｒｏｇｒｅｓｓタグは、ジョブにおける全ページ数Ｔと、印刷中のページ番号ＮとをＮ／Ｔの書式で指定するためのタグである。ｊＥｎｄＲｅａｓｏｎタグは、正常終了、ユーザ操作による終了、異常終了などの、ジョブが終了した原因を示す値を指定するためのタグである。なお、ジョブなし状態にある場合に、ｊＥｎｄＲｅａｓｏｎタグにより値が指定される。
【０１９６】
なお、図２４に示すスクリプトでは、ｐｒｔＰｉｄタグ、ｉｍａｇｅＰａｔｈタグおよびｃｏｐｙＩｄタグにより、ジョブＩＤ、イメージパスおよび繰り返し供給回数が指定されるが、その代わりに、ジョブ指定ファイルが使用されない場合には、印刷ジョブ開始コマンドにおけるｉｍａｇｅＩＤタグで指定された画像データおよびｃｏｐｉｅｓタグで指定された繰り返し供給回数が、ジョブ状態通知コマンドにおいて使用されるようにしてもよい。
【０１９７】
一方、画像供給装置２は、画像出力装置１から、ページの切り換わりごとに、ジョブＩＤ、ページ最初の画像データの格納場所のパス、その画像データの繰り返し供給回数などを含む再開情報を受信すると（ステップＳ１１１）、それらを記憶し、画像出力装置１から通知された最新の再開情報を保持する（ステップＳ１１２）。
【０１９８】
この実施の形態１では、画像供給装置２の通信制御部２２が、ＤＰＳプロトコルに従って、ページごとに、コマンドＤＰＳ＿ＮｏｔｉｆｙＪｏｂＳｔａｔｕｓであるＸＭＬスクリプトを受信し、そのＸＭＬスクリプトから、ジョブＩＤ、画像データの格納場所のパス、および画像データの繰り返し供給回数を抽出し、記憶する。
【０１９９】
このようにして、画像供給装置２は、印刷処理が開始されたページごとに、所定の位置（ここでは最初）の画像データを指定している印刷ジョブのジョブＩＤ、その画像データの格納場所のパス、その画像データの繰り返し供給回数などを含む再開情報を順次記憶していく。なお、画像供給装置２に記憶される再開情報は、最新のものだけあればよく、古いものは消去してもよい。
【０２００】
そして、印刷状態において、紙ジャム、インク切れ、電源オフ操作などの自律復旧不能な障害が発生した場合（ステップＳ１２１）、画像出力装置１は、ホールド状態に移行し、障害発生を画像供給装置２に通知する（ステップＳ１２２）。
【０２０１】
この実施の形態１では、画像出力装置１の通信制御部１２が、障害が発生すると、ＤＰＳプロトコルに従って、装置の状態を通知するコマンドＤＰＳ＿ＮｏｔｉｆｙＤｅｖｉｃｅＳｔａｔｕｓのＸＭＬスクリプトを生成し、送信する。コマンドＤＰＳ＿ＮｏｔｉｆｙＤｅｖｉｃｅＳｔａｔｕｓのＸＭＬスクリプトでは、障害の状態を示すタグ＜ｅｒｒｏｒＳｔａｔｕｓ＞，＜／ｅｒｒｏｒＳｔａｔｕｓ＞で障害状態を示す値が囲まれ、障害の原因を示すタグ＜ｒｅａｓｏｎ＞，＜／ｒｅａｓｏｎ＞で障害原因を示す値が囲まれる。
【０２０２】
図２５は、実施の形態１において使用されるデバイス状態通知コマンドＤＰＳ＿ＮｏｔｉｆｙＤｅｖｉｃｅＳｔａｔｕｓのＸＭＬスクリプトの一例を示す図である。図２５において、ｎｏｔｉｆｙＤｅｖｉｃｅＳｔａｔｕｓＲｅｑｕｅｓｔタグは、デバイス状態通知コマンドであることを示すタグである。図２５においては、ｎｏｔｉｆｙＤｅｖｉｃｅＳｔａｔｕｓＲｅｑｕｅｓｔタグの下位に、ｅｒｒｏｒＳｔａｔｕｓタグ、ｒｅａｓｏｎタグ、ｄｉｓｃｏｎｎｅｃｔＥｎａｂｌｅタグおよびｃａｐａｂｉｌｉｔｙＣｈａｎｇｅタグが配置される。
【０２０３】
ｅｒｒｏｒＳｔａｔｕｓタグは、障害なし、復旧可能障害、復旧不能障害などの障害状態を指定するためのタグである。ｒｅａｓｏｎタグは、障害なし、用紙関係の障害、インク関係の障害、ハードウェア関係の障害、データ関係の障害などといった障害の原因を指定するためのタグである。ｄｉｓｃｏｎｎｅｃｔＥｎａｂｌｅタグは、接続を解除してよいか否かを指定するためのタグである。ｃａｐａｂｉｌｉｔｙＣｈａｎｇｅタグは、画像出力装置１で許容される印刷条件に変更があったか否かを指定するためのタグである。
【０２０４】
画像供給装置２は、画像出力装置１から、障害発生の通知を受信すると（ステップＳ１３１）、異常検知時処理を実行する（ステップＳ１３２）。なお、この実施の形態１では、画像供給装置２の通信制御部２２が、ＤＰＳプロトコルに従って、上述のコマンドＤＰＳ＿ＮｏｔｉｆｙＤｅｖｉｃｅＳｔａｔｕｓのＸＭＬスクリプトを受信し、中央制御部２３が、そのＸＭＬスクリプトから障害状態を認識する。
【０２０５】
図２２に示すように異常検知時処理では、画像供給装置２の中央制御部２３は、まず、画像出力装置１から取得した再開情報を記憶するか否かの案内（文字、図形など）を表示装置２６に表示させる（ステップＳ１４１）。その後、中央制御部２３は、操作部２５に対してユーザによる選択操作があるまで待機し（ステップＳ１４２）、ユーザによる選択操作があると、再開情報の記憶が選択されたか否かを判断する（ステップＳ１４３）。中央制御部２３は、再開情報の記憶が選択された場合には、その再開情報をメモリなどに記憶し（ステップＳ１４４）、その後に異常検知時処理を終了し、そうでない場合には、その再開情報を記憶せずに異常検知時処理を終了する。
【０２０６】
このようにして異常検知時処理が完了すると、画像供給装置２の中央制御部２３は、画像出力装置１が復旧するまで待機する（ステップＳ１３３）。
【０２０７】
そして、画像出力装置１が復旧すると、画像供給装置２は、通信路３の状態、画像出力装置１からの通知または応答などに基づいて、画像出力装置１が復旧したことを検知し、復旧検知時処理を実行する（ステップＳ１３４）。
【０２０８】
図２３に示すように復旧検知時処理では、画像供給装置２の中央制御部２３は、この画像出力装置１からの再開情報が記憶されているか否かを判断し（ステップＳ１５１）、その再開情報が記憶されている場合、再開情報に基づいて印刷を再開するか否か（すなわち、再開情報の使用／不使用）の案内（文字、図形など）を表示装置２６に表示させる（ステップＳ１５２）。その後、中央制御部２３は、操作部２５に対してユーザによる選択操作があるまで待機し（ステップＳ１５３）、ユーザによる選択操作があると、再開情報の使用が選択されたか否かを判断する（ステップＳ１５４）。中央制御部２３は、再開情報の使用が選択された場合には、その再開情報をメモリなどから読み出し（ステップＳ１５５）、その再開情報を含めた印刷ジョブ開始コマンドを生成する。一方、再開情報が記憶されていない場合、再開情報の使用が選択されなかった場合には、中央制御部２３は、再開情報を含めずに印刷ジョブ開始コマンドを生成する（ステップＳ１５７）。
【０２０９】
このようにして復旧検知時処理が完了すると、画像供給装置２は、生成した印刷ジョブ開始コマンドを送信する（ステップＳ１３５）。
【０２１０】
この実施の形態１では、画像供給装置２の通信制御部２２が、中央制御部２３に指示に基づき、ＤＰＳプロトコルに従って、最新のジョブＩＤ、ページ最初の画像データの格納場所のパス、およびその画像データの繰り返し供給回数を設定した上述のコマンドＤＰＳ＿ＳｔａｒｔＪｏｂのＸＭＬスクリプトを送信する。
【０２１１】
図２６は、実施の形態１において、ジョブ再開時の印刷ジョブ開始コマンドＤＰＳ＿ＳｔａｒｔＪｏｂのＸＭＬスクリプトの一例を示す図である。図２６に示すように、ジョブ再開時の印刷ジョブ開始コマンドＤＰＳ＿ＳｔａｒｔＪｏｂでは、ｉｍａｇｅＩＤタグにより、ジョブ指定ファイルのオブジェクトＩＤ（ここでは、０００００００２）が指定され、再開位置を示すジョブＩＤ、ページ最初の画像データの格納場所のパスおよびその画像データの繰り返し供給回数が、ｐｒｔＰｉｄタグ、ｉｍａｇｅＰａｔｈタグおよびｃｏｐｉｅｓタグによりそれぞれ指定される。
【０２１２】
画像出力装置１は、その印刷ジョブ開始コマンドを受信すると（ステップＳ１２４）、その印刷ジョブ開始コマンドにおいて指定された、先に使用されたジョブ指定ファイルの送信要求を送信する。
【０２１３】
この実施の形態１では、画像出力装置１の通信制御部１２が、ＤＰＳプロトコルに従って、ＸＭＬスクリプトのジョブ開始コマンドＤＰＳ＿ＳｔａｒｔＪｏｂを受信し、ジョブ指定ファイルを指定してファイル取得コマンドＤＰＳ＿ＧｅｔＦｉｌｅを発行する。
【０２１４】
そして、画像供給装置２は、そのジョブ指定ファイルの送信要求に応じて、ジョブ指定ファイルを送信する（ステップＳ１３６）。画像出力装置１は、そのジョブ指定ファイルを受信する（ステップＳ１２５）。
【０２１５】
この実施の形態１では、画像出力装置１の通信制御部１２が、ＤＰＳプロトコルにおけるファイル取得コマンドＤＰＳ＿ＧｅｔＦｉｌｅを発行し、画像供給装置２からジョブ指定ファイルを取得する。
【０２１６】
画像出力装置１は、印刷ジョブ開始コマンドにおいて再開位置が指定されているか否かを判断し、印刷ジョブ開始コマンドにおいて再開位置が指定されている場合には、ジョブ指定ファイルの内容を参照し、印刷ジョブ開始コマンド内の再開情報により指定されたジョブＩＤ、ページ最初の画像データの格納場所のパス、およびその画像データの繰り返し供給回数に該当する位置をジョブ指定ファイル内で発見すると、その位置を印刷ジョブの再開位置と特定する（ステップＳ１２６）。一方、画像出力装置１は、印刷ジョブ開始コマンドにおいて再開位置が指定されていない場合には、ジョブ指定ファイルの先頭を印刷ジョブの開始位置と特定する（ステップＳ１２６）。
【０２１７】
そして、画像出力装置１は、その開始位置または再開位置から印刷ジョブを再開し（ステップＳ１２７）、必要に応じて画像データを画像供給装置２から取得する（ステップＳ１２７，Ｓ１３５）。
【０２１８】
これにより、障害発生により中断した印刷ジョブがユーザなどによるリセット指令後に再開され、必要に応じて、障害が発生したページの先頭から印刷が再開される。図２７は、実施の形態１に係る画像供給装置２による印刷再開制御を説明する図である。例えば図２７に示すように、画像１０１ａ，１０１ｃの印刷後、途中で画像１０１ｂ，１０１ｄを印刷している時に障害が発生した場合にも、ページの最初に割り当てられる画像１０１ａについてのジョブＩＤ、パスおよび繰り返し供給回数に基づいてジョブ指定ファイル内での印刷再開位置が特定されて印刷ジョブが再開される。
【０２１９】
なお、図２７のように１つのページに複数の画像が配置される場合、印刷ジョブにおける出現順番が最も早い画像についてジョブＩＤなどが記憶され、その画像から印刷が再開される。例えば図１２に示すジョブ指定ファイルで図２７に示すような１ページに４つの画像が割り当てられるレイアウトとした場合、画像１０１ａに割り当てられるＩＭＡＧ０００１．ＪＰＧについてのジョブＩＤ「００１」、パス「．／ＤＣＩＭ／１００ＥＰＳＯＮ／ＩＭＡＧ０００１．ＪＰＧ」、繰り返し回数「００２」が再開情報として記憶される。そして、図２７に示す位置で障害が発生したときには、その再開情報が指定する図１２の最初のジョブから同一のレイアウトで印刷が再開される。
【０２２０】
なお、画像出力装置１は、印刷対象の繰り返し供給の途中で改ページが発生した場合には、画像供給装置２に通知する繰り返し供給回数の値を残りの繰り返し供給回数に変更し、変更後の値を制御情報として通知する。これにより、画像供給装置２では、印刷対象の繰り返し供給の途中で改ページが発生した場合には、記憶する繰り返し供給回数が残りの繰り返し供給回数に変更される。この場合には、画像出力装置１がジョブＩＤとファイルパスでジョブ再開位置を特定するようにするか、画像供給装置２が画像出力装置１へ送信するジョブ指定ファイル内の該当する繰り返し供給回数を同様に変更する。
【０２２１】
次に、通信路３の切断および画像出力装置１の電源の異常断が発生した場合のリカバリ処理の一例について説明する。図２８は、本発明の実施の形態１に係る画像供給装置２および画像出力装置１のリカバリ処理の他の一例について説明するフローチャートである。なお、この場合の正常動作時の処理は、上述の場合（図２０）と同様である。
【０２２２】
まず、通信路３の切断または画像出力装置１の電源の異常断が発生すると（ステップＳ１４１）、画像出力装置１と画像供給装置２との間の通信コネクションが切れるため、画像供給装置２は、その通信コネクション（例えばＵＳＢのコネクション）の切断を検知し（ステップＳ１６１）、異常検知時処理を実行する（ステップＳ１３２）。なお、異常検知時処理は、上述の場合（図２２）と同様である。
【０２２３】
その後、画像供給装置２は、通信路３や画像出力装置１の電源が復旧したことを検知するまで待機する（ステップＳ１３３）。そして、通信路３や電源が復旧すると、画像出力装置１は、リセットまたは再起動する（ステップＳ１２３）。これにより、通信路３を介して通信コネクションが確立されると、画像供給装置２は、画像出力装置１との接続が復旧したことを検知し、復旧検知時処理を実行する（ステップＳ１３４）。なお、復旧検知時処理は、上述の場合（図２３）と同様である。
【０２２４】
以下、画像供給装置２および画像出力装置１は、上述した場合と同様に動作し、画像供給装置２は、印刷ジョブ開始コマンドおよび画像データを送信し、画像出力装置１は、印刷ジョブを実行する。
【０２２５】
以上のリカバリ処理の例の場合では、画像出力装置１が、ページごとに、再開情報を画像供給装置２に送信しているが、その代わりに、画像出力装置１が、紙ジャムなどの障害を検出した場合に、自動的に、再開情報を画像供給装置２に送信するようにしてもよい。次にその場合について説明する。
【０２２６】
図２９は、本発明の実施の形態１に係る画像供給装置２および画像出力装置１のリカバリ処理のさらに他の一例について説明するフローチャートである。なお、この場合には、上述の場合（図２０）のような正常動作時の処理は特に必要なく、障害発生時に、再開情報が画像出力装置１から画像供給装置２へ伝送される。
【０２２７】
このリカバリ処理の場合、図２９に示すように、障害が発生すると、画像出力装置１は、障害発生を通知し（ステップＳ１２２）、再開情報を画像供給装置２に送信する（ステップＳ１７１）。
【０２２８】
例えば、１ページ内に画像を１つ配置するページレイアウトの場合において、図１２に示すジョブ指定ファイルに基づいて第２ページの印刷中に障害が発生すると、画像出力装置１は、ジョブＩＤ「００１」、画像データのファイルパス「．／ＤＣＩＭ／１００ＥＰＳＯＮ／ＩＭＡＧ０００１．ＪＰＧ」および繰り返し供給回数「００２」を含む再開情報を画像供給装置２に送信する。
【０２２９】
また、例えば、同一のレイアウトおよびジョブ指定ファイルを使用して、第３ページの印刷中に障害が発生した場合には、画像出力装置１は、ジョブＩＤ「００２」、画像データのファイルパス「．／ＤＣＩＭ／１００ＥＰＳＯＮ／ＩＭＡＧ０００２．ＪＰＧ」および繰り返し供給回数「００１」を含む再開情報を画像供給装置２に送信する。
【０２３０】
そして、画像供給装置２は、その障害発生の通知を受信し（ステップＳ１３１）、再開情報を受信すると（ステップＳ１８１）、異常検知時処理を実行する（ステップＳ１３２）。なお、異常検知時処理は、上述の場合（図２２）と同様である。
【０２３１】
その後、画像供給装置２は、画像出力装置１の復旧を検知するまで待機する（ステップＳ１３３）。そして、画像出力装置１は、リセットまたは再起動し、復旧すると（ステップＳ１２３）、画像供給装置２は、画像出力装置１が復旧したことを検知し、復旧検知時処理を実行する（ステップＳ１３４）。なお、復旧検知時処理は、上述の場合（図２３）と同様である。
【０２３２】
以下、画像供給装置２および画像出力装置１は、上述した場合と同様に動作し、画像供給装置２は、印刷ジョブ開始コマンドおよび画像データを送信し、画像出力装置１は、印刷ジョブを実行する。
【０２３３】
なお、この実施の形態１では、印刷再開位置を示す再開情報として、ジョブＩＤ、パスおよび繰り返し供給回数の３つを使用しているが、正確に印刷再開位置を特定できれば、これらのうちの１つだけまたは２つだけでもよい。また、他のジョブ状態情報を再開情報に使用してもよい。
【０２３４】
さらに、この実施の形態１では、ページレイアウトの最初の画像データに関するジョブ状態情報（すなわち、印刷を開始した画像に関するジョブ状態情報）を再開情報に使用しているが、ページレイアウトの最後の画像データに関するジョブ状態情報（すなわち、印刷を完了した画像に関するジョブ状態情報）を再開情報に使用するようにしてもよい。その場合には、画像出力装置１により、一連の印刷ジョブにおいて再開情報に合致する位置の次の画像から印刷ジョブが再開される。
【０２３５】
以上のように、上記実施の形態１によれば、画像供給装置２は、所定のファイル形式で画像データを格納する記録媒体２４と、１または複数の画像データに基づき一連の複数の画像を印刷する画像出力装置１に通信路３を介して接続され、一連の複数の画像を印刷する印刷処理を新たに開始させる印刷ジョブ開始コマンドおよび画像データを送信するとともに、画像の印刷進捗状況を示す制御情報を受信する通信回路２１と、画像出力装置による印刷ジョブの中止または中断の後の画像出力装置１の復旧を検知する中央制御部２３と、中央制御部２３により画像出力装置１の復旧が検知された後に、通信回路２１を制御して、印刷ジョブ開始コマンドを送信させるとともに、印刷ジョブ内の印刷再開位置を指定する開始情報を画像出力装置１へ送信させる通信制御部２２とを備える。なお、開始情報は、実施の形態１では印刷ジョブ開始コマンド内に記述される。
【０２３６】
これにより、復旧時に印刷処理の再開位置を画像出力装置１に正確に指定でき、画像データそのものを画像出力装置１へ送信し画像出力装置１において画像データから印刷制御データを生成し画像を印刷するいわゆるダイレクト印刷処理における障害からのリカバリ処理を良好に実行することができる。
【０２３７】
さらに、上記実施の形態１によれば、画像供給装置２では、印刷ジョブ開始コマンドが、１または複数の印刷対象の画像の画像データの識別情報（記録媒体２４におけるファイルパスやオブジェクトＩＤ）および印刷対象の画像の印刷部数情報（残りの繰り返し供給回数）を有し、開始情報が、印刷開始時の画像データの識別情報および印刷開始時の部数番号（全部数のうちの何番目かを示す番号）を含む。なお、上記実施の形態１において、ジョブ指定ファイルを使用しないで、印刷ジョブ開始コマンドにて印刷ジョブを指定する場合でも、同様にして印刷開始位置（印刷再開位置）を指定することができる。
【０２３８】
これにより、復旧時に印刷処理の再開位置を印刷画像単位で正確に指定でき、ダイレクト印刷処理における障害からのリカバリ処理を良好に実行することができる。
【０２３９】
さらに、上記実施の形態１によれば、画像供給装置２では、印刷ジョブ開始コマンドが、１または複数の印刷ジョブの情報を記述したジョブ指定ファイルを指定し、開始情報が、ジョブ指定ファイルに記述された印刷ジョブにおける印刷再開位置を示す。
【０２４０】
これにより、印刷ジョブの設定にジョブ指定ファイルを使用している場合でも復旧時に印刷処理の再開位置を正確に指定でき、ダイレクト印刷処理における障害からのリカバリ処理を良好に実行することができる。
【０２４１】
さらに、上記実施の形態１によれば、画像の印刷進捗状況を示す画像出力装置１からの制御情報が、印刷を開始したあるいは完了した印刷ジョブの識別情報、印刷を開始したあるいは完了した画像の識別情報、並びに印刷を開始した部数番号あるいは印刷を完了した画像の部数情報のいずれかを含む。
【０２４２】
これにより、印刷処理の再開位置を簡単かつ正確に指定でき、ダイレクト印刷処理における障害からのリカバリ処理を良好に実行することができる。
【０２４３】
さらに、上記実施の形態１において、画像供給装置２の中央制御部２３が、印刷対象の画像を印刷している画像出力装置による印刷ジョブの中止または中断を検知し、その印刷ジョブに対応する印刷ジョブ開始コマンドの内容の一部または全部を記憶し、通信制御部２２が、中央制御部２３により画像出力装置の復旧が検知された後に、記憶された再開情報に基づく印刷ジョブ開始コマンドを送信させるようにしてもよい。
【０２４４】
そのようにした場合には、印刷ジョブ開始コマンドの内容を再利用できるため、印刷ジョブ内容の再度の設定を省略でき、かつ印刷処理の開始位置を簡単に指定できる。
【０２４５】
なお、上記実施の形態１において、画像供給装置２が、印刷ジョブ開始コマンド内で、印刷対象となる一連の複数の画像および印刷処理開始時の画像を指定することができる。これにより、印刷開始位置（印刷再開位置）の指定を修正するだけで印刷ジョブ開始コマンドを再利用できる。
【０２４６】
さらに、上記実施の形態１においては、画像供給装置２が、印刷ジョブ開始コマンド内で、ジョブ指定ファイルおよび印刷処理開始時の画像を指定することができる。これにより、印刷処理開始位置の指定を修正するだけで印刷ジョブ開始コマンドおよびジョブ指定ファイルを再利用できる。
【０２４７】
さらに、上記実施の形態１において、画像出力装置１が、障害発生後、印刷ジョブ開始コマンドの受信前に、障害発生時の印刷処理に関するデータを当該画像出力装置１から消去してもよい。これにより、画像出力装置１が、確実に、印刷処理再開時に新たに受信した印刷ジョブ開始コマンドに基づいて動作することとなり、正確にリカバリ処理を実行することができる。
【０２４８】
さらに、上記実施の形態１によれば、画像出力装置１が、障害を検出した場合にのみ再開情報を画像供給装置２に送信するようにしてもよい。これにより、再開情報を頻繁に送受する必要がないため、正常動作時の処理を増加させることなく、復旧後に印刷処理を正確に再開することができる。
【０２４９】
さらに、上記実施の形態１によれば、画像出力装置１が、ページごとに再開情報を画像供給装置に送信するようにしてもよい。これにより、障害発生時に再開情報の送信が困難な場合でも、復旧後に印刷処理を正確に再開することができる。
【０２５０】
なお、中央制御部２３が、再開情報を印刷ジョブ開始コマンドとともに送信する代わりに、ジョブ指定ファイルの内容を、障害発生時に印刷が完了していない印刷未完画像のみに対する印刷ジョブの指定に書き換えるジョブファイル書換手段として動作し、通信制御部２２が、ジョブ指定ファイルが書き換えられた後に、通信回路２１を制御して、印刷ジョブ開始コマンドを画像出力装置１へ送信させるようにしてもよい。
【０２５１】
そのようにした場合には、印刷処理の再開位置に基づいてジョブ指定ファイルが書き換えられるため、同様に、ダイレクト印刷処理における障害からのリカバリ処理を良好に実行することができる。
【０２５２】
実施の形態２．
本発明の実施の形態２に係る画像供給装置２は、実施の形態１で示したように、通信相手である画像出力装置１の電源が切られた後や通信路３が切断された後に、通信相手との通信が回復した際の、通信中断前後での通信相手の同一性を判断し、同一の通信相手との通信を再開し、リカバリ処理により印刷処理を継続するようにしたものである。
【０２５３】
実施の形態２に係る画像供給装置２は、通信路３を介して接続されている画像出力装置１の通信プロトコル上で固有な識別子を記憶し、電源が切れた場合、電源復旧後に通信路３を介して接続されている画像出力装置１の通信プロトコル上で固有な識別子を取得し、その識別子に基づいて画像出力装置１の同一性を判断する。
【０２５４】
また、実施の形態２に係る画像供給装置２は、通信路３を介して接続されている画像出力装置１の通信プロトコル上で固有な識別子を記憶し、例えば通信路３の接続コネクタが画像出力装置１または画像供給装置２の接続コネクタから外されたりして通信路３が切断された場合、通信路３の接続が復旧した後に、通信路３を介して接続されている画像出力装置１の通信プロトコル上で固有な識別子を取得し、その識別子に基づいて画像出力装置１の同一性を判断する。
【０２５５】
なお、通信プロトコル上で固有な識別子は、ＭＡＣ（Ｍｅｄｉｕｍ  Ａｃｃｅｓｓ  Ｃｏｎｔｒｏｌ  ）アドレスやそれに準じたものなど、通信回路１１，２１に割り当てられているものであり、不揮発性メモリ、バックアップ電源に接続された揮発性メモリ、磁気記録媒体などの、電源が切れていても記憶内容を保持する記録媒体に記憶される。
【０２５６】
なお、同様にして、画像出力装置１は、通信路３を介して接続されている画像供給装置２の通信プロトコル上で固有な識別子を記憶し、電源が切れた場合、電源復旧後に通信路３を介して接続されている画像供給装置２の通信プロトコル上で固有な識別子を取得し、その識別子に基づいて画像供給装置２の同一性を判断する。また、画像出力装置１は、通信路３を介して接続されている画像供給装置２の通信プロトコル上で固有な識別子を記憶し、例えば通信路３の接続コネクタが画像出力装置１または画像供給装置２の接続コネクタから外されたりして通信路３が切断された場合、通信路３の接続が復旧した後に、通信路３を介して接続されている画像供給装置２の通信プロトコル上で固有な識別子を取得し、その識別子に基づいて上記画像供給装置の同一性を判断する。
【０２５７】
なお、これらの処理は，通信制御部１２，２２により実行され、通信相手の識別子は、画像出力装置１および画像供給装置２における図示せぬメモリにそれぞれ記憶される。
【０２５８】
また、この実施の形態２に係る画像供給装置２は、他の実施の形態のいずれとも組み合わせ可能である。
【０２５９】
この実施の形態２に係る画像供給装置２およびそれに接続される画像出力装置１が、上述の機能を有し、障害および復旧の前後での通信相手の同一性が認められるときにのみ、実施の形態１で述べたようにしてリカバリ処理を行う。一方、同一性が認められないときには、画像供給装置２は、印刷ジョブの再開のための処理を行わずに、全く新しい印刷ジョブの開始コマンドを発行するようにしてもよい。
【０２６０】
以上のように、上記実施の形態２によれば、画像供給装置２が、通信路３を介して接続されている画像出力装置１の通信プロトコル上で固有な識別子を記憶しておき、通信路３および／または電源の障害からの復旧後に通信路３を介して接続される画像出力装置１の通信プロトコル上で固有な識別子を取得し、その識別子に基づいて画像出力装置１の同一性を判断する。
【０２６１】
これにより、障害発生時の通信相手だった画像出力装置１を正確に特定することができ、同一の画像出力装置１を使用して、リカバリ処理を良好に実行することができる。
【０２６２】
実施の形態３．
本発明の実施の形態３に係る画像供給装置２−１は、複数の画像出力装置１−１〜１−ｎに接続され、ある画像出力装置１−ｊによる印刷処理中に上述のような障害が発生した場合に、代替の画像出力装置１−ｋを探し、代替の画像出力装置１−ｋにより印刷処理を継続させて、リカバリ処理を行うようにしたものである。
【０２６３】
図３０は、本発明の実施の形態３に係る画像供給装置２の構成を示すブロック図である。なお、図３０において、画像出力装置１−ｉ（ｉ＝１，・・・，ｎ）は、上述の画像出力装置１と同様の装置であって、通信路３−ｉに対応した通信回路１１を有する。
【０２６４】
図３０において、画像供給装置２−１は、上述の画像供給装置２と同様の装置であり、上述の画像供給装置２の通信回路２１として、複数の画像出力装置１−１〜１−ｎに有線通信路３−１または無線通信路３−２〜３−ｎを介して接続可能な１または複数の通信回路２１−１〜２１−ｎを備え、いずれかの通信回路２１−ｋにより、印刷ジョブ開始コマンドと再開情報を、障害の発生した画像出力装置１−ｊとは別の画像出力装置１−ｋ（ｋ≠ｊ）へ送信する。なお、その際に別の画像出力装置１−ｋ（ｋ≠ｊ）へ送信する再開情報は、実施の形態１で述べたものとされ、実施の形態１で述べたように印刷が再開される。これにより、復旧が困難な場合でも別の画像出力装置１−ｋで正確に印刷を再開することができる。また、復旧を待たずに直ちに別の画像出力装置１−ｋで正確に印刷を再開することができる。
【０２６５】
例えば、画像供給装置２−１は、画像出力装置１−１による印刷処理中の障害が発生した場合には、残りの画像出力装置１−２〜１−ｎのうちのいずれかを選択し、いずれかの通信回路２１−ｋにより、印刷再開時の最初の印刷対象を指定する再開情報を送信する。その再開情報を受信した画像出力装置１−ｋは、その情報に基づいて、印刷ジョブ内の再開位置を特定し、その位置から印刷処理を開始する。
【０２６６】
なお、画像供給装置２−１は、複数の画像出力装置１−２〜１−ｎのうち、自己の使用する画像出力制御プロトコル（例えば上述のＤＰＳプロトコル、ＰＴＰなど）を解釈可能な画像出力装置１−ｒを選択し、その画像出力装置１−ｒへ再開情報を送信するようにしてもよい。
【０２６７】
また、画像供給装置２−１は、複数の画像出力装置１−２〜１−ｎのうち、再開情報に基づいて印刷処理を再開することができる画像出力装置１−ｒを選択し、その画像出力装置１−ｒへ再開情報を送信するようにしてもよい。
【０２６８】
また、画像供給装置２−１は、複数の画像出力装置１−２〜１−ｎのうち、中断された印刷ジョブで指定された印刷条件で印刷可能な画像出力装置１−ｒを選択し、その画像出力装置１−ｒへ再開情報を送信するようにしてもよい。これにより、別の画像出力装置を使用しても、元の画像出力装置と同様な印刷状態で印刷を再開することができる。そのような印刷条件としては、用紙サイズ、用紙タイプ、ベンダ固有の色補正処理、フレーム画像重畳印刷（画像データによる画像に、フレーム画像を重畳させて印刷するもの）などがある。
【０２６９】
なお、画像供給装置２−１は、画像出力装置１−２〜１−ｎに対して、具備する印刷機能や通信機能の情報の送信を要求し、その要求に対する応答に基づいて上述のようにして画像出力装置１−ｒを選択するようにしてもよい。
【０２７０】
なお、この実施の形態３に係る画像供給装置２−１は、他の実施の形態のいずれとも組み合わせ可能である。
【０２７１】
以上のように、上記実施の形態３によれば、画像供給装置２−１は、複数の画像出力装置１−１〜１−ｎに有線通信路３−１および無線通信路３−２〜３−ｎを介して接続可能な通信回路２１−１〜２１−ｎと、複数の画像出力装置１−１〜１−ｎのうち、いずれかの通信回路２１−ｉ（ｉ＝１，・・・，ｎ）により通信可能な１つの画像出力装置１−ｉを、印刷対象の画像を印刷させる画像出力装置として選択する選択手段として動作する中央制御部２３とを備える。
【０２７２】
これにより、所望の画像出力装置１−ｉによりダイレクト印刷処理を実行しつつ、リカバリ処理時には、印刷処理の開始位置を簡単に指定でき、リカバリ処理を良好に実行することができる。
【０２７３】
さらに、上記実施の形態３によれば、画像供給装置２−１の中央制御部２３は、障害検知手段として動作し、印刷対象の画像を印刷している画像出力装置１−ｊによる印刷ジョブの中止または中断を検知すると、いずれかの通信回路により通信可能な別の画像出力装置１−ｋ（ｊ≠ｋ）を、印刷対象の画像を印刷させる画像出力装置として選択する。
【０２７４】
これにより、障害時に別の画像出力装置１−ｋを使用することで、印刷処理における障害からのリカバリ処理を良好に実行することができる。また、復旧を待たずに直ちに別の画像出力装置１−ｋで正確に印刷を再開することができる。さらに、別の画像出力装置１−ｋを使用しても、元の画像出力装置１−ｊと同様な印刷状態で印刷を再開することができる。
【０２７５】
さらに、上記実施の形態３によれば、画像供給装置２−１の中央制御部２３は、まず有線通信路３−１を介して接続される画像出力装置１−１を選択し、印刷ジョブの中止または中断を検知すると、無線通信路３−ｐ（ｐ＝２，３，・・・，ｎ）を介して通信可能な別の画像出力装置１−ｐを選択する。
【０２７６】
これにより、正常時には有線接続された画像出力装置１−１が使用され、障害発生時にはその有線通信路３−１のケーブルを挿抜することなく無線接続された画像出力装置１−ｐが使用されるため、印刷処理における障害からのリカバリ処理を短時間で良好に実行することができる。
【０２７７】
なお、実施の形態３において、通信路３−１〜３−ｎと同数の通信回路２１−１〜２１−ｎを設ける必要は特になく、複数の通信路３−ｉ〜３−ｊを介して通信可能である場合には、複数の通信路３−ｉ〜３−ｊに対して１つの通信回路２１−ｉを設ければよい。
【０２７８】
画像出力システムの参考構成例３．
画像出力システムの参考構成例３では、画像出力装置１ａの電源が切られた場合に、画像出力装置１ａが、動作を停止する前に、再開情報を画像供給装置２に送信する。
【０２７９】
図３１は、画像出力システムの参考構成例３における画像出力装置１ａの構成を示すブロック図である。図３１において、補助電源１２１は、電源回路１７により商用電源などからの電力を得ることができなくなった場合に、少なくとも所定の時間、内部回路に電力を供給する装置である。この補助電源１２１は、例えば充電池、キャパシタなどで構成され、平常時に電源回路１７から得られる電力を蓄積する蓄電手段として機能する。
【０２８０】
また、インクカートリッジ１２２は、出力機構１４に装着され、印刷用インクを内蔵し、出力制御部１３からの電気信号に応じてインクを塗出する付属部品である。メモリ１２３は、インクカートリッジ１２２に内蔵され、インクの使用量などの情報を書き込まれる書き換え可能な不揮発性のメモリである。
【０２８１】
なお、図３１におけるその他の構成要素については、図１のものと同様であるので、その説明を省略する。
【０２８２】
次に、上記画像出力装置１ａの動作について説明する。なお、画像供給装置２の動作については、他の実施の形態および参考構成例のいずれかと同様とすればよい。
【０２８３】
印刷処理中にユーザにより操作部１５に対して電源オフ操作がなされた場合、出力制御部１３は、印刷処理を中止し、現在処理中の印刷ジョブについてのその時点での再開情報を生成し、通信制御部１２に供給する。通信制御部１２は、その再開情報を画像供給装置２に送信する。その後、画像出力装置１ａは、電源回路１７からの電力を遮断して電源オフ状態となる。
【０２８４】
一方、印刷処理中に電源が異常遮断した場合、補助電源１２１は、内部回路への電力供給を開始し、出力制御部１３は、補助電源１２１から電力を供給される所定の時間内に、印刷処理を中止し、インクカートリッジ１２２のメモリ１２３に、インク塗出量などのインクの使用量に関するデータを書き込むとともに、現在処理中の印刷ジョブについてのその時点での再開情報を生成し、通信制御部１２に供給する。通信制御部１２は、その時間内に補助電源１２１の電力を使用して、その再開情報を画像供給装置２に送信する。その後、補助電源１２１からの電力供給が停止すると、画像出力装置１ａは、電源オフ状態となる。
【０２８５】
なお、画像出力装置１ａのその他の動作については、他の実施の形態のいずれかと同様とすればよいので、ここではその説明を省略する。
【０２８６】
以上のように、上記参考構成例３によれば、画像出力装置１ａが、主電源が遮断された場合に、補助電源１２１に蓄積された電力を使用して再開情報を送信する。
【０２８７】
これにより、画像出力装置１ａの電源が異常遮断されても再開情報が確実に画像供給装置２に伝送され、リカバリ処理を良好に実行することができる。
【０２８８】
さらに、上記参考構成例３によれば、画像出力装置１ａが、メモリ１２３を有するインクカートリッジ１２２と、主電源が遮断された場合にインクカートリッジ１２２のメモリ１２３に情報を書き込むための電力を蓄積する補助電源１２１とを備え、主電源が遮断された場合に、その補助電源１２１に蓄積された電力を使用して再開情報を送信する。
【０２８９】
これにより、インクカートリッジ１２２のメモリ１２３への書き込み用の補助電源１２１を画像出力装置１ａの電源異常遮断時の再開情報の送信に使用でき、電源異常遮断時の再開情報の送信を安価に実現することができる。
【０２９０】
実施の形態４．
本発明の実施の形態４に係る画像供給装置は、ＤＰＳプロトコルにおいて、規定後に拡張機能を追加するための拡張タグを、制御情報の生成および送受の際に使用するようにしたものである。この画像供給装置に接続される画像出力装置は、ＤＰＳプロトコルにおいて、規定後に拡張機能を追加するための拡張タグを解釈可能に修正される。なお、実施の形態４に係る画像供給装置のその他の構成および動作は、他の実施の形態のいずれかと同様とすればよいので、その説明を省略する。
【０２９１】
その際、画像供給装置２，２−１および画像出力装置１，１ａ，１−１〜１−ｎは、ＤＰＳプロトコルにおけるある機能を拡張するために、ＸＭＬ構文に従って、その機能を表現する既存のタグと同じネストレベルに拡張タグを挿入して制御情報を生成する。あるいは、画像供給装置２，２−１および画像出力装置１，１ａ，１−１〜１−ｎは、ＤＰＳプロトコルにおけるある機能を拡張するために、ＸＭＬ構文に従って、その機能を表現する既存のタグより下位のネストレベルに拡張タグを挿入して制御情報を生成する。
【０２９２】
なお、画像供給装置２，２−１および画像出力装置１，１ａ，１−１〜１−ｎは、ＤＰＳプロトコルにおけるある機能を拡張するために、ＸＭＬ構文に従って、制御情報を構成するスクリプトにおいて、その機能を表現する既存のタグより先に拡張タグを配置して制御情報（ＸＭＬスクリプト）を生成する。このようにすると、スクリプトを解釈する際に、既存のタグの機能を無効にし易くすることができる。
【０２９３】
実施の形態４では、規定後に拡張機能を追加するための拡張タグとして、ベンダ固有の画像最適化処理を指定するための拡張タグが使用される。
【０２９４】
以上のように、上記実施の形態４によれば、拡張タグとして、ベンダ固有の画像最適化処理を指定するためのタグを使用することができるため、ベンダごとに様々な特徴を有する画像最適化処理についても印刷時に指定することができるようになる。
【０２９５】
実施の形態５．
本発明の実施の形態５に係る画像供給装置は、実施の形態４と同様に、ＤＰＳプロトコルにおいて、規定後に拡張機能を追加するための拡張タグを、制御情報の生成および送受の際に使用するようにしたものである。この画像供給装置に接続される画像出力装置は、ＤＰＳプロトコルにおいて、規定後に拡張機能を追加するための拡張タグを解釈可能に修正される。なお、実施の形態５に係る画像供給装置のその他の構成および動作は、上記実施の形態のいずれかと同様であるので、その説明を省略する。
【０２９６】
実施の形態５に係る画像供給装置では、規定後に拡張機能を追加するための拡張タグとして、フレーム画像と画像データの画像とを組み合わせて印刷するフレーム挿入印刷を指定する拡張タグが使用される。
【０２９７】
以上のように、上記実施の形態５によれば、拡張タグとして、フレーム画像と画像データの画像とを組み合わせて印刷するフレーム挿入印刷を指定するタグを使用できるため、独特なフレーム挿入印刷を指定することができるようになる。
【０２９８】
実施の形態６．
本発明の実施の形態６に係る画像供給装置２，２−１は、他の各実施の形態における画像出力装置１，１ａ，１−１〜１−ｎの代わりに、画像出力の処理フローを制御するようにしたものである。すなわち、画像供給装置２，２−１が、操作部２５に対する操作または画像出力装置１，１ａ，１−１〜１−ｎの状態の通知を受けて画像出力処理の進行を管理し、画像出力処理に必要な情報や画像データを画像供給装置２，２−１へ適宜供給する。
【０２９９】
このため、実施の形態６では、中央制御部２３が、画像出力の処理フローを制御する画像出力制御手段として機能し、画像供給装置２，２−１の通信制御部２２は、ＤＰＳプロトコルに従って、画像出力装置１，１ａ，１−１〜１−ｎの状態を取得するコマンドを送信し、画像出力装置１，１ａ，１−１〜１−ｎの通信制御部１２が、そのコマンドの応答として画像出力装置１，１ａ，１−１〜１−ｎの状態を示すＸＭＬスクリプトを送信する。このようなコマンドを通信制御部２２から必要に応じて随時発行して、画像供給装置２，２−１の中央制御部２３が、通信制御部２２を介して、画像出力装置１，１ａ，１−１〜１−ｎの状態を監視する。
【０３００】
また、実施の形態６では、中央制御部２３は、ＤＰＯＦのＡＵＴＰＲＩＮＴ．ＭＲＫなどといったジョブ指定ファイルを解釈し、そのジョブ指定ファイルの内容に応じて、印刷ジョブを実行し、レイアウト情報、印刷対象の画像データなどを画像出力装置１，１ａ，１−１〜１−ｎに送信する。そして、画像出力装置１，１ａ，１−１〜１−ｎは、そのレイアウト情報、印刷対象の画像データなどを受信すると、それらに基づいて印刷処理を行う。
【０３０１】
なお、実施の形態６に係る画像供給装置の基本的な構成については、上記実施の形態の場合と同様であり、画像出力時の処理フローも同様である。すなわち、実施の形態６においては、画像供給装置２，２−１が、処理フローの制御主体とされる。言い換えれば、上述の実施の形態１〜５の画像出力システムは、画像データを受け取る画像出力装置１，１ａ，１−１〜１−ｎが処理フローの制御主体となるプル型のシステムであり、この実施の形態６の画像出力システムは、画像データを供給する画像供給装置２，２−１が処理フローの制御主体となるプッシュ型のシステムである。
【０３０２】
また、実施の形態６に係る画像供給装置２，２−１は、画像出力装置１，１ａ，１−１〜１−ｎの操作部１５に対する操作に応じて、その操作の情報を画像出力装置１，１ａ，１−１〜１−ｎから受信し、印刷処理を開始するようにしてもよい。その場合には、画像出力装置１，１ａ，１−１〜１−ｎの通信制御部１２は、操作部１５に対して所定の操作があると、印刷ジョブ開始コマンドを制御情報として画像供給装置２，２−１に送信する。画像供給装置２，２−１の中央制御部２３は、通信制御部２２および制御回路２１により印刷ジョブ開始コマンドが受信されると、その印刷ジョブ開始コマンドに従って印刷処理を開始し、各種制御コマンドを画像出力装置１，１ａ，１−１〜１−ｎに送信する。
【０３０３】
以上のように、上記実施の形態６によれば、画像供給装置２，２−１の中央制御部２３が画像出力の処理フローを制御する。これにより、画像出力装置１，１ａ，１−１〜１−ｎの情報処理性能が低くても本システムを実現することができる。
【０３０４】
さらに、上記実施の形態６によれば、画像出力装置１，１ａ，１−１〜１−ｎの操作部に対する操作に応じて、その操作の情報を画像供給装置２，２−１に送信し、印刷処理を開始する場合には、ユーザが画像出力装置１，１ａ，１−１〜１−ｎの操作部１５を操作することで印刷を行わせることができるため、画像出力装置１，１ａ，１−１〜１−ｎがユーザフレンドリな操作部１５を有している場合に、その操作部１５により操作性が向上する。
【０３０５】
実施の形態７．
本発明の実施の形態７に係る画像供給装置２，２−１は、画像出力装置１，１ａ，１−１から電力の供給を受けるようにしたものである。
【０３０６】
その際、通信路３に内蔵されている電力供給線が使用され、画像供給装置２，２−１のバッテリ２７の代わりに、通信路３に接続された通信回路２２から電力が内部の各回路に供給される。
【０３０７】
なお、画像出力装置１，１ａ，１−１は、画像供給装置２，２−１を接続された際に、画像供給装置２，２−１への電力供給が可能か否かを判定し、電力供給が可能な場合にのみ電力供給するようにしてもよい。
【０３０８】
ここで、通信路３にＵＳＢを使用した場合に、ＵＳＢケーブルにより画像出力装置１，１ａ，１−１と画像供給装置２，２−１と接続した際の画像供給装置２への電力供給が可能か否かの判定について説明する。図３２は、実施の形態７に係る画像供給装置２，２−１が画像出力装置１，１ａ，１−１に接続する際の電源モードの設定処理を説明するフローチャートである。
【０３０９】
まず、画像供給装置２，２−１の通信制御部２２は、通信回路２１を制御して、ＵＳＢに規定されているコンフィグレーションデスクリプタにおける最大出力パラメータを、バスパワーモード用の設定値（例えば５００ミリアンペア）に設定し（ステップＳ２０１）、通信回路２１は、その設定で接続処理を行う（ステップＳ２０２）。画像出力装置１，１ａ，１−１の通信回路１１は、そのバスパワーモード用の設定値の電力を供給可能である場合には、接続を許可し、そうでない場合には接続を拒否する（ステップＳ２０３）。
【０３１０】
そして、画像供給装置２の通信回路２１は、バスパワーモード用設定値での電力供給が許可された場合には、バスパワーモードでそのまま接続し、通信路３を介して画像出力装置１，１ａ，１−１から電力供給を受ける（ステップＳ２０４）。
【０３１１】
一方、画像供給装置２，２−１の通信制御部２２は、バスパワーモード用設定値での電力供給が拒否された場合には、コンフィグレーションデスクリプタにおける最大出力パラメータを、セルフパワーモード用の設定値（例えば数ミリアンペア）に設定し（ステップＳ２０５）、通信回路２１は、その設定で、再度、接続処理を行う（ステップＳ２０６）。
【０３１２】
そして、画像供給装置２，２−１の通信回路２１は、セルフパワーモードで接続し、画像供給装置２，２−１のバッテリ２７を電力源として動作を継続する（ステップＳ２０７）。
【０３１３】
このように、画像供給装置２，２−１は、バスパワーモードでの接続を試みて、許可された場合には、画像出力装置１，１ａ，１−１からの電力供給を受けて動作し、拒否された場合には、セルフパワーモードで接続し自己のバッテリ２７の電力で動作する。
【０３１４】
なお、画像供給装置２，２−１は、バッテリ２７の電力が所定の基準値より少なくなった場合に、通信路３を介して画像出力装置１，１ａ，１−１から電力を供給されるようにしてもよい。
【０３１５】
また、電力供給線を有する通信路３としては、ＵＳＢの他に、ＩＥＥＥ１３９４などがあり、それらの通信規格のもので通信を行うようにしてもよい。
【０３１６】
なお、この実施の形態７に係る画像出力システムは、他の実施の形態のいずれとも組み合わせ可能である。
【０３１７】
以上のように、上記実施の形態７によれば、データ伝送用の通信路３が、電力供給線を有する通信路であり、画像供給装置２，２−１が、その通信路３を介して画像出力装置１，１ａ，１−１から電力を供給される。これにより、画像供給装置２，２−１内のバッテリ２７の電力消費を抑制することができ、印刷処理を長い時間行うことができる。
【０３１８】
実施の形態８．
本発明の実施の形態８に係る画像供給装置２，２−１は、画像出力装置１，１ａ，１−１〜１−ｎによる画像出力時の画像のレイアウトを、ユーザの操作に応じて選択するようにしたものである。
【０３１９】
すなわち、画像供給装置２，２−１は、操作部２５、表示装置２６および中央制御部２３により、表示装置２６にレイアウト情報を表示させつつ、ユーザの操作に応じて、画像出力の際のレイアウトを選択し、選択されたレイアウトで画像データを出力させる制御情報を画像出力装置１，１ａ，１−１〜１−ｎに通信路３を介して送信する。例えば、その際のレイアウトを示す制御情報は、ＤＰＳプロトコルの印刷ジョブ開始コマンドに含められて送信される。そして、画像出力装置１，１ａ，１−１〜１−ｎは、そのレイアウトに係る制御情報に基づいて画像出力時のレイアウトを設定し、画像出力処理を行う。すなわち、操作部２５、表示装置２６および中央制御部２３は、ユーザインタフェース部分を含む、画像出力の際のレイアウトを選択するレイアウト選択手段として機能する。
【０３２０】
なお、この実施の形態８に係る画像供給装置は、他の実施の形態のいずれとも組み合わせ可能である。例えば、画像供給装置２，２−１が、選択されたレイアウト情報を記憶しておき、リカバリ処理時に印刷ジョブ開始コマンド内でそのレイアウト情報に基づくページレイアウトを指定するようにしてもよい。
【０３２１】
以上のように、上記実施の形態８によれば、画像出力システムにおいて、デジタルカメラなどの画像供給装置２，２−１を操作して、その画像供給装置２，２−１に格納されている画像データの状況に応じて、ユーザがレイアウトを選択することができて便利であるとともに、画像データを格納している装置のユーザインタフェースを使用するため、レイアウト選択のために画像データなどを他の装置に転送する必要がない。
【０３２２】
実施の形態９．
本発明の実施の形態９に係る画像供給装置は、ある画像データについての画像出力装置１，１ａ，１−１〜１−ｎによる印刷結果を表示装置２６によりプレビューするようにしたものである。
【０３２３】
画像供給装置２，２−１は、例えば操作部２５に対する操作に応じて画像出力の対象となる画像データを選択し、選択した画像データの印刷状態を示す画像（いわゆるプレビュー画像）を表示装置２６により表示する。そして、そのプレビュー画像の表示後に、画像供給装置２，２−１は、印刷対象となる画像データを通信路３を介して送信し、画像出力装置１，１ａ，１−１〜１−ｎに出力させる。
【０３２４】
なお、この実施の形態９に係る画像出力システムは、他の実施の形態のいずれとも組み合わせ可能である。
【０３２５】
以上のように、上記実施の形態９によれば、画像供給装置２，２−１において、格納されている画像データを使用してプレビューが可能であるため、正確にプレビューを行うことができるとともに、画像データ転送前にプレビューを行うため、印刷条件の変更を画像供給装置２，２−１にて簡単に行うことができる。
【０３２６】
なお、上述の各実施の形態は、本発明の好適な例であるが、本発明は、これらに限定されるものではなく、本発明の要旨を逸脱しない範囲において、種々の変形、変更が可能である。
【０３２７】
例えば、上述の各実施の形態では、マークアップ言語の１つであるＸＭＬを使用して制御情報を記述しているが、ＳＧＭＬ（Ｓｔａｎｄａｒｄ  Ｇｅｎｅｒａｌｉｚｅｄ  Ｍａｒｋｕｐ  Ｌａｎｇｕａｇｅ）などの他のマークアップ言語を使用して記述するようにしてもよい。
【０３２８】
また、上述の各実施の形態では、ＤＰＳプロトコル以下の階層において、ＰＴＰおよびＵＳＢを使用しているが、ＴＣＰ／ＩＰ（Ｔｒａｎｓｍｉｓｓｉｏｎ  Ｃｏｎｔｒｏｌ  Ｐｒｏｔｏｃｏｌ  ／  Ｉｎｔｅｒｎｅｔ  Ｐｒｏｔｏｃｏｌ  ）などの他のプロトコルを使用するようにしてもよい。また、その際の伝送媒体としては、有線ＬＡＮ、ブルーツース、無線ＬＡＮなどを使用してもよい。
【０３２９】
また、上述の各実施の形態において使用されるＤＰＳプロトコルのコマンド名およびタグ名は、上述のものに限定されるものではなく、他の名前でもよい。また、ＤＰＳプロトコルのコマンドに関しては、同様の機能を有する他のコマンドまたはそれらの組み合わせとしてもよい。
【０３３０】
また、上述の各実施の形態におけるＤＰＯＦの自動印刷ファイル（ＡＵＴＰＲＩＮＴ．ＭＲＫ）などのジョブ指定ファイルは、ユーザインタフェースを使用して入力された値に基づいて画像供給装置２が生成してもよいし、外部装置から供給されるようにしてもよい。
【０３３１】
また、上述の各実施の形態において、画像出力装置１，１ａ，１−１〜１−ｎは、プリンタまたはプリンタを内蔵する電子機器とすることができ、画像供給装置２，２−１は、動画用および／または静止画用のデジタルカメラとすることができる。あるいは、画像出力装置１，１ａ，１−１〜１−ｎは、紙などの媒体に画像を記録する他の記録装置などとしてもよく、画像供給装置２，２−１は、デジタルカメラを内蔵した電子装置、画像信号を受信する電子装置などとしてもよい。そのような電子装置としては、移動体電話、ＰＤＡ、音楽プレーヤ、テレビジョン受像機、ビデオ録画／再生装置、テレビジョン電話機、テレビビジョン会議装置などがある。また、画像供給装置２としては、可搬性のある装置としてもよいし、あまり可搬性のない装置としてもよい。
【０３３２】
また、上述の各実施の形態において、画像出力に必要な画像データの画像供給装置２，２−１から画像出力装置１，１ａ，１−１〜１−ｎへの転送が完了すると、画像出力装置１，１ａ，１−１〜１−ｎとの接続を解除してもよい旨を示す接続解除可能通知を画像出力装置１，１ａ，１−１〜１−ｎから画像供給装置２，２−１へ送信するようにしてもよい。
【０３３３】
また、上述の各実施の形態において、画像データ管理転送プロトコルとして、ＰＴＰの代わりにＵＳＢマスストレージクラスを使用するようにしてもよい。
【０３３４】
また、上述の各実施の形態において印刷される画像は、ピクチャ画像のほか、テキストの画像としてもよい。また、画像出力対象を、例えば音楽ＣＤ、音楽ＭＤなどの音楽アルバムのタイトル表、歌詞カードなどのテキストとしてもよい。その場合、例えば、画像供給装置２，２−１または画像出力装置１，１ａ，１−１〜１−ｎが、その音楽アルバムに記録されている情報に基づいてインターネット上の配信サーバなどからそのテキストのデータを取得する。
【０３３５】
なお、上記実施の形態では、画像出力装置１，１ａ，１−１〜１−ｎが、ジョブ指定ファイルを取得し、そのジョブ指定ファイルを解析し、印刷ジョブを実行しているが、その代わりに、画像供給装置２，２−１が、ジョブ指定ファイルを解析し、印刷ジョブ開始コマンドを画像出力に係る制御情報として生成し画像出力装置１，１ａ，１−１〜１−ｎに送信するようにして、印刷ジョブを実行させるようにしてもよい。
【０３３６】
なお、上記各実施の形態は、上記画像出力システムの参考構成例１，２，３およびそれ以外のダイレクト印刷用の画像出力システムにも適用可能である。
【０３３７】
【発明の効果】
本発明によれば、画像データそのものを画像出力装置へ送信し画像出力装置において画像データから印刷制御データを生成し画像を印刷する印刷処理における障害からのリカバリ処理を良好に実行する画像供給装置、デジタルカメラ、制御プログラムおよび印刷再開制御方法を得ることができる。
【図面の簡単な説明】
【図１】図１は、画像出力システムの参考構成例１を示すブロック図である。
【図２】図２は、画像出力システムの参考構成例１において、画像出力装置と画像供給装置との間で使用されるプロトコルの一例を示す図である。
【図３】図３は、画像出力システムの参考構成例１における画像出力装置としてのプリンタの構成例を示すブロック図である。
【図４】図４は、画像出力システムの参考構成例１における画像出力装置の有する複数の機能の関係を示す図である。
【図５】図５は、画像出力システムの参考構成例１における画像供給装置としてのデジタルカメラの構成例を示すブロック図である。
【図６】図６は、画像出力システムの参考構成例１における画像供給装置の有する複数の機能の関係を示す図である。
【図７】図７は、画像出力システムの参考構成例１における、ＤＰＳプロトコルレベルでの画像出力処理を説明する図である。
【図８】図８は、画像出力システムの参考構成例１における、画像転送プロトコルレベルでの画像出力処理を説明する図である。
【図９】図９は、画像出力システムの参考構成例１において使用される印刷ジョブ開始コマンドＤＰＳ＿ＳｔａｒｔＪｏｂのＸＭＬスクリプトの一例を示す図である。
【図１０】図１０は、画像出力システムの参考構成例１において使用されるファイル取得コマンドＤＰＳ＿ＧｅｔＦｉｌｅのＸＭＬスクリプトの一例を示す図である。
【図１１】図１１は、ＤＰＯＦ方式のディレクトリ構造を説明する図である。
【図１２】図１２は、ＤＰＯＦ方式のジョブ指定ファイルＡＵＴＰＲＩＮＴ．ＭＲＫの一例を示す図である。
【図１３】図１３は、画像出力システムの参考構成例２における、ＤＰＳプロトコルレベルでの画像出力処理を説明する図である。
【図１４】図１４は、画像出力システムの参考構成例２における、画像転送プロトコルレベルでの画像出力処理を説明する図である。
【図１５】図１５は、画像出力システムの参考構成例２において使用されるオブジェクトＩＤ取得コマンドＤＰＳ＿ＧｅｔＯｂｊｅｃｔＩＤのＸＭＬスクリプトの一例を示す図である。
【図１６】図１６は、画像出力システムの参考構成例２において使用されるオブジェクトＩＤ取得コマンドＤＰＳ＿ＧｅｔＯｂｊｅｃｔＩＤの応答のＸＭＬスクリプトの一例を示す図である。
【図１７】図１７は、画像出力システムの参考構成例２において使用されるファイル情報取得コマンドＤＰＳ＿ＧｅｔＦｉｌｅＩｎｆｏのＸＭＬスクリプトの一例を示す図である。
【図１８】図１８は、画像出力システムの参考構成例２において使用されるファイル情報取得コマンドＤＰＳ＿ＧｅｔＦｉｌｅＩｎｆｏの応答のＸＭＬスクリプトの一例を示す図である。
【図１９】図１９は、実施の形態１に係る画像供給装置に接続される画像出力装置についての状態遷移図である。
【図２０】図２０は、実施の形態１に係る画像供給装置および画像出力装置の、リカバリ時に必要な制御情報を送受する正常時の印刷処理を説明するフローチャートである。
【図２１】図２１は、実施の形態１に係る画像供給装置および画像出力装置のリカバリ処理の一例について説明するフローチャートである。
【図２２】図２２は、リカバリ処理における異常検知時処理の詳細について説明するフローチャートである。
【図２３】図２３は、リカバリ処理における復旧検知時処理の詳細について説明するフローチャートである。
【図２４】図２４は、実施の形態１において使用されるジョブ状態通知コマンドＤＰＳ＿ＮｏｔｉｆｙＪｏｂＳｔａｔｕｓのＸＭＬスクリプトの一例を示す図である。
【図２５】図２５は、実施の形態１において使用されるデバイス状態通知コマンドＤＰＳ＿ＮｏｔｉｆｙＤｅｖｉｃｅＳｔａｔｕｓのＸＭＬスクリプトの一例を示す図である。
【図２６】図２６は、実施の形態１において、ジョブ再開時の印刷ジョブ開始コマンドＤＰＳ＿ＳｔａｒｔＪｏｂのＸＭＬスクリプトの一例を示す図である。
【図２７】図２７は、実施の形態１に係る画像供給装置による印刷再開制御を説明する図である。
【図２８】図２８は、本発明の実施の形態１に係る画像供給装置および画像出力装置のリカバリ処理の他の一例について説明するフローチャートである。
【図２９】図２９は、本発明の実施の形態１に係る画像供給装置および画像出力装置のリカバリ処理のさらに他の一例について説明するフローチャートである。
【図３０】図３０は、本発明の実施の形態３に係る画像供給装置の構成を示すブロック図である。
【図３１】図３１は、画像出力システムの参考構成例３における画像出力装置の構成を示すブロック図である。
【図３２】図３２は、実施の形態７に係る画像供給装置が画像出力装置に接続する際の電源モードの設定処理を説明するフローチャートである。
【符号の説明】
１，１ａ，１−１〜１−ｎ  画像出力装置
２，２−１  画像供給装置
３，３−１〜３−ｎ  通信路
２１，２１−１〜２１−ｎ  通信回路
２２  通信制御部
２３  中央制御部（復旧検知手段、印刷未完画像特定手段、障害検知手段、選択手段、ジョブ指定ファイル書換手段）
２４  記録媒体
３１  画像データファイル
７３  ＲＡＭ（記憶手段）
７５  メモリカード（記録媒体、記憶手段）
【図１】
2004240944.tif 000003
【図２】
2004240944.tif 000004
【図３】
2004240944.tif 000005
【図４】
2004240944.tif 000006
【図５】
2004240944.tif 000007
【図６】
2004240944.tif 000008
【図７】
2004240944.tif 000009
【図８】
2004240944.tif 000010
【図９】
2004240944.tif 000011
【図１０】
2004240944.tif 000012
【図１１】
2004240944.tif 000013
【図１２】
2004240944.tif 000014
【図１３】
2004240944.tif 000015
【図１４】
2004240944.tif 000016
【図１５】
2004240944.tif 000017
【図１６】
2004240944.tif 000018
【図１７】
2004240944.tif 000019
【図１８】
2004240944.tif 000020
【図１９】
2004240944.tif 000021
【図２０】
2004240944.tif 000022
【図２１】
2004240944.tif 000023
【図２２】
2004240944.tif 000024
【図２３】
2004240944.tif 000025
【図２４】
2004240944.tif 000026
【図２５】
2004240944.tif 000027
【図２６】
2004240944.tif 000028
【図２７】
2004240944.tif 000029
【図２８】
2004240944.tif 000030
【図２９】
2004240944.tif 000031
【図３０】
2004240944.tif 000032
【図３１】
2004240944.tif 000033
【図３２】
2004240944.tif 000034